(57)【要約】  ワイヤレス通信ネットワーク（１００）において、複数の送信アンテナ（１２４）を使用するユーザ機器ＵＥ（１１０）のためのアップリンク制御チャネルのためのリソース割振りのためのシステムおよび方法が開示される。アップリンク制御チャネル（１１２）上でＵＥが使用するための複数の直交リソース（１０８）が選択される。制御情報は、送信ダイバーシティを用いて、複数の直交リソース上のアップリンク制御チャネルでＵＥから送信される。【選択図】図１
2013506386.tif 000002
【特許請求の範囲】
【請求項１】
ワイヤレス通信ネットワークにおいて複数の送信アンテナを使用するユーザ機器（ＵＥ）のためのアップリンク制御チャネルのためのリソース割振り方法であって、
前記アップリンク制御チャネル上で前記ＵＥが使用する複数の直交リソースを決定することと、
前記決定された複数の直交リソースに基づいて他のユーザ機器のためのリソースのスケジューリングを最適化することと、
送信ダイバーシティを用いて、前記複数の直交リソース上の前記アップリンク制御チャネルで前記ＵＥから制御情報を受信することと、
を備える方法。
【請求項２】
前記複数の直交リソースが半永続的スケジューリング（ＳＰＳ）に基づいて決定され、前記制御情報は前記ＵＥからの肯定応答／否定応答（ＡＣＫ／ＮＡＣＫ）フィードバックを備える、請求項１に記載の方法。
【請求項３】
前記ＵＥに送信電力訂正コマンドを送ることをさらに備え、前記送信電力訂正コマンドは、前記複数の直交リソースは半永続的スケジューリング（ＳＰＳ）に基づくという指示を含む、請求項２に記載の方法。
【請求項４】
前記複数の直交リソースは、スケジューリング要求（ＳＲ）、肯定応答／否定応答（ＡＣＫ／ＮＡＣＫ）フィードバック、およびチャネル品質インジケータ（ＣＱＩ）のうちの少なくとも１つを送信するために前記ＵＥによって使用される、請求項１に記載の方法。
【請求項５】
前記複数の直交リソースのうちの第１のリソースは、単一のＤＬキャリア上で送信される第１の制御チャネル要素（ＣＣＥ）に関連付けられ、前記複数の直交リソースのうちの第２のリソースは前記第１のリソースからの予め定められたオフセットによって決定される、請求項１に記載の方法。
【請求項６】
前記ワイヤレス通信ネットワークは、複数のＤＬキャリア上でのダウンリンク（ＤＬ）データ送信のために構成される、請求項１に記載の方法。
【請求項７】
前記制御情報は、スケジューリング要求（ＳＲ）、前記ＤＬデータ送信に関係する肯定応答／否定応答（ＡＣＫ／ＮＡＣＫ）フィードバック、およびチャネル品質インジケータ（ＣＱＩ）のうちの少なくとも１つを備える、請求項６に記載の方法。
【請求項８】
前記制御情報は、複数のアップリンク（ＵＬ）キャリア上で受信され、前記複数のＵＬキャリア中の各ＵＬキャリアは前記複数のＤＬキャリアのうちの１つにそれぞれ対応する、請求項６に記載の方法。
【請求項９】
前記複数の直交リソースを前記決定することは、複数の利用可能なリソースの各々それぞれに関連するアップリンク（ＵＬ）経路損失に基づいて前記複数の利用可能なリソースから少なくとも２つのリソースを選択すること、を備える請求項８に記載の方法。
【請求項１０】
前記制御情報は単一のＵＬキャリア上で受信され、前記単一のＵＬキャリアは前記複数のＤＬキャリア上での前記ＤＬデータ送信に関連する肯定応答／否定応答（ＡＣＫ／ＮＡＣＫ）メッセージを搬送する、請求項６に記載の方法。
【請求項１１】
前記複数の直交リソースを前記決定することは、複数の利用可能なリソースから少なくとも２つのリソースを選択することを備え、前記少なくとも２つのリソースは、前記複数の利用可能なリソースのうちの残りのリソースと比較して前記単一のＵＬキャリアの帯域幅の端に最も近い、請求項１０に記載の方法。
【請求項１２】
前記ワイヤレス通信ネットワークは、複数のＤＬサブフレーム上でのダウンリンク（ＤＬ）データ送信のために構成され、前記複数の直交リソースを前記決定することは、複数の利用可能なリソースから前記アップリンク制御チャネル上で前記ＵＥによって使用される直交リソースのセットを決定すること、を含む請求項１に記載の方法。
【請求項１３】
前記制御情報は前記ＤＬデータ送信の肯定応答／否定応答（ＡＣＫ／ＮＡＣＫ）フィードバックを備える、請求項１２に記載の方法。
【請求項１４】
前記制御情報は単一のＵＬサブフレーム上で受信され、前記単一のＵＬサブフレームは、前記複数のＤＬサブフレーム上での前記ＤＬデータ送信に関連する肯定応答／否定応答（ＡＣＫ／ＮＡＣＫ）フィードバックを搬送する、請求項１２に記載の方法。
【請求項１５】
直交リソースの前記セットを前記決定することは、前記複数の利用可能なリソースから少なくとも２つのリソースを選択することを備え、前記少なくとも２つのリソースは、前記複数の利用可能なリソースのうちの残りのリソースと比較して前記単一のＵＬサブフレームの帯域幅の端に最も近い、請求項１４に記載の方法。
【請求項１６】
ワイヤレス通信ネットワークにおいて複数の送信アンテナを使用するユーザ機器（ＵＥ）のためのアップリンク制御チャネルのためのリソース割振り方法であって、
前記アップリンク制御チャネル上で前記ＵＥが使用する複数の直交リソースを選択することと、
送信ダイバーシティを用いて、前記複数の直交リソース上の前記アップリンク制御チャネルで制御情報を送信することと、
を備える方法。
【請求項１７】
前記複数の直交リソースは半永続的スケジューリング（ＳＰＳ）に基づいて選択され、前記制御情報は前記ＵＥからの肯定応答／否定応答（ＡＣＫ／ＮＡＣＫ）フィードバックを含む、請求項１６に記載の方法。
【請求項１８】
前記制御情報は前記ＵＥからのスケジューリング要求（ＳＲ）を含む、請求項１６に記載の方法。
【請求項１９】
前記制御情報は、前記ＵＥからの同時の肯定応答／否定応答（ＡＣＫ／ＮＡＣＫ）フィードバック及びＳＲフィードバックを含む、請求項１８に記載の方法。
【請求項２０】
前記制御情報は、前記複数の直交リソースのうちの第１のリソース上で送信される前記ＳＲフィードバックを含み、さらに、前記複数の直交リソースのうちの第２のリソース上で送信される前記肯定応答／否定応答（ＡＣＫ／ＮＡＣＫ）フィードバックを含む、請求項１９に記載の方法。
【請求項２１】
前記制御情報は、ＳＲフィードバックに割り振られた前記複数の直交リソース上で送信される前記肯定応答／否定応答（ＡＣＫ／ＮＡＣＫ）フィードバックを含む、請求項１９に記載の方法。
【請求項２２】
前記制御情報は前記ＵＥからのチャネル品質インジケータ（ＣＱＩ）を含む、請求項１６に記載の方法。
【請求項２３】
ダウンリンク（ＤＬ）制御チャネル上で第１の制御チャネル要素（ＣＣＥ）を受信することと、前記第１のＣＣＥは前記複数の直交リソースのうちの第１のリソースに対応する、
前記複数の直交リソースのうちの第２のリソースを選択することと、前記第２のリソースは前記第１のリソースからの予め定められたオフセットに対応する、
をさらに備える、請求項１６に記載の方法。
【請求項２４】
前記制御情報は、単一のＤＬキャリア上でのダウンリンク送信に関連する肯定応答／否定応答（ＡＣＫ／ＮＡＣＫ）フィードバックを備える、請求項２３に記載の方法。
【請求項２５】
前記第１のＣＣＥはインデックスｎ＿ｃｃｅを有し、前記第２のリソースはインデックスｎ＿ｃｃｅ＋Ｘを有する第２のＣＣＥに対応し、Ｘは前記予め定められたオフセットを示す０でない整数である、請求項２３に記載の方法。
【請求項２６】
前記第１のＣＣＥは、サイクリックシフトｘで前記第１のリソースにマッピングする第１のインデックスｎ＿ｃｃｅを有し、前記第２のリソースは、前記第１のリソースと同じ直交カバーインデックスとサイクリックシフトｘ＋ｙとによって決定され、ｙは、前記アップリンク制御チャネルのリソース間のシグナリングされた最小サイクリックシフト間隔よりも小さい、請求項２３に記載の方法。
【請求項２７】
前記ワイヤレス通信ネットワークは、複数のＤＬキャリア上でのダウンリンク（ＤＬ）データ受信のために構成され、複数の直交リソースを前記選択することは、複数の利用可能なリソースから直交リソースのセットを選択することを含む、請求項１６に記載の方法。
【請求項２８】
前記制御情報は複数のアップリンク（ＵＬ）キャリア上で送信され、前記複数のＵＬキャリア中の各ＵＬキャリアは前記複数のＤＬキャリアのうちの１つのそれぞれ対応する、請求項２７に記載の方法。
【請求項２９】
直交リソースの前記選択されたセットは、前記複数の利用可能なリソースのそれぞれに関連するアップリンク（ＵＬ）経路損失に基づいて前記複数の利用可能なリソースから選択された少なくとも２つのリソースを備える、請求項２８に記載の方法。
【請求項３０】
前記制御情報は単一のＵＬキャリア上で送信され、前記単一のＵＬキャリアは、前記複数のＤＬキャリア上での前記ＤＬデータ受信に関連する肯定応答／否定応答（ＡＣＫ／ＮＡＣＫ）メッセージを搬送する、請求項２９に記載の方法。
【請求項３１】
直交リソースの前記選択されたセットは、前記単一のＵＬキャリアの帯域幅の端に対する前記複数の利用可能なリソースのそれぞれの近接度に基づいて前記複数の利用可能なリソースの中から選択された少なくとも２つのリソースを備える、請求項２９に記載の方法。
【請求項３２】
前記ワイヤレス通信ネットワークは、複数のＤＬサブフレーム上でのダウンリンク（ＤＬ）データ受信のために構成され、複数の直交リソースを前記選択することは、複数の利用可能なリソースから直交リソースのセットを選択することを含む、請求項１６に記載の方法。
【請求項３３】
前記制御情報は単一のＵＬサブフレーム上で送信され、前記単一のＵＬサブフレームは、前記複数のＤＬサブフレーム上での前記ＤＬデータ受信に関連する肯定応答／否定応答（ＡＣＫ／ＮＡＣＫ）フィードバックを搬送する、請求項３２に記載の方法。
【請求項３４】
直交リソースの前記セットは、前記単一のＵＬサブフレームの帯域幅の端に対する前記複数の利用可能なリソースのそれぞれの近接度に基づいて前記複数の利用可能なリソースから選択された少なくとも２つのリソースを備える、請求項３３に記載の方法。
【請求項３５】
前記ＤＬデータ送信は時分割複信（ＴＤＤ）モードで行われる、請求項３２に記載の方法。
【請求項３６】
ワイヤレス通信ネットワークにおいて使用するためのワイヤレス通信装置であって、前記装置は、複数の送信アンテナを使用するユーザ機器（ＵＥ）のためのアップリンク制御チャネルのためのリソース割振りをサポートし、前記装置は、
前記アップリンク制御チャネル上で前記ＵＥが使用する複数の直交リソースを決定する手段と、
前記決定された複数の直交リソースに基づいて他のユーザ機器のためのリソースのスケジューリングを最適化する手段と、
送信ダイバーシティを用いて、前記複数の直交リソース上の前記アップリンク制御チャネルで前記ＵＥから制御情報を受信する手段と、
を備えるワイヤレス通信装置。
【請求項３７】
前記ワイヤレス通信ネットワークは、複数のＤＬキャリア上でのダウンリンク（ＤＬ）データ送信のために構成され、前記制御情報は、スケジューリング要求（ＳＲ）、肯定応答／否定応答（ＡＣＫ／ＮＡＣＫ）フィードバック、およびチャネル品質インジケータ（ＣＱＩ）のうちの少なくとも１つを備える、請求項３６に記載の装置。
【請求項３８】
前記ワイヤレス通信ネットワークは、複数のＤＬサブフレーム上でのダウンリンク（ＤＬ）データ送信のために構成され、前記制御情報は前記ＤＬデータ送信の肯定応答／否定応答（ＡＣＫ／ＮＡＣＫ）フィードバックを備える、請求項３６に記載の装置。
【請求項３９】
複数の送信アンテナをもつユーザ機器（ＵＥ）がアップリンク制御チャネル上で使用する複数の直交リソースを決定することと、
前記決定された複数の直交リソースに基づいて他のユーザ機器のためのリソースのスケジューリングを最適化することと、
送信ダイバーシティを用いて、前記複数の直交リソース上の前記アップリンク制御チャネルで前記ＵＥから制御情報を受信することと、
をコンピュータに行わせる命令を含むコンピュータ可読記憶媒体を備えるコンピュータプログラム製品。
【請求項４０】
前記複数の直交リソースのうちの第１のリソースは、単一のＤＬキャリア上で送信される第１の制御チャネル要素（ＣＣＥ）に関連付けられ、前記複数の直交リソースのうちの第２のリソースは前記第１のリソースからの予め定められたオフセットによって決定される、請求項３９に記載のコンピュータプログラム製品。
【請求項４１】
ワイヤレス通信ネットワークにおいて使用するためのワイヤレス通信装置であって、前記装置は、複数の送信アンテナを使用するユーザ機器（ＵＥ）のためのアップリンク制御チャネルのためのリソース割振りをサポートし、前記装置は、
前記アップリンク制御チャネル上で前記ＵＥが使用する複数の直交リソースを決定することと、
前記決定された複数の直交リソースに基づいて他のユーザ機器のためのリソースのスケジューリングを最適化することと、
送信ダイバーシティを用いて、前記複数の直交リソース上の前記アップリンク制御チャネルで前記ＵＥから制御情報を受信することと、
を行うように構成されたプロセッサ
を備えるワイヤレス通信装置。
【請求項４２】
前記複数の直交リソースのうちの第１のリソースは、単一のＤＬキャリア上で送信される第１の制御チャネル要素（ＣＣＥ）に関連付けられ、前記複数の直交リソースのうちの第２のリソースは前記第１のリソースからの予め定められたオフセットによって決定される、請求項４２に記載のワイヤレス通信装置。
【請求項４３】
ワイヤレス通信ネットワークにおいて使用するためのワイヤレス通信装置であって、前記装置は、複数の送信アンテナを使用するアップリンク制御チャネルのためのリソース割振りをサポートし、前記装置は、
前記アップリンク制御チャネル上で使用するための複数の直交リソースを選択する手段と、
送信ダイバーシティを用いて、前記複数の直交リソース上の前記アップリンク制御チャネルで制御情報を送信する手段と、
を備えるワイヤレス通信装置。
【請求項４４】
前記複数の直交リソースは半永続的スケジューリング（ＳＰＳ）に基づいて選択され、前記制御情報は肯定応答／否定応答（ＡＣＫ／ＮＡＣＫ）フィードバックを含む、請求項４３に記載の装置。
【請求項４５】
前記制御情報は、前記複数の直交リソースのうちの第１のリソース上で送信されるＳＲフィードバックを含み、さらに、前記複数の直交リソースのうちの第２のリソース上で送信される肯定応答／否定応答（ＡＣＫ／ＮＡＣＫ）フィードバックを含む、請求項４３に記載の装置。
【請求項４６】
ダウンリンク（ＤＬ）制御チャネル上で第１の制御チャネル要素（ＣＣＥ）を受信する手段と、前記第１のＣＣＥは前記複数の直交リソースのうちの第１のリソースに対応する、
前記複数の直交リソースのうちの第２のリソースを選択する手段と、前記第２のリソースは前記第１のリソースからの予め定められたオフセットに対応する、
をさらに備える、請求項４３に記載の装置。
【請求項４７】
前記ワイヤレス通信ネットワークは、複数のＤＬキャリア上でのダウンリンク（ＤＬ）データ受信のために構成され、前記複数の直交リソースを選択する手段は、複数の利用可能なリソースのそれぞれに関連するアップリンク（ＵＬ）経路損失に基づいて前記複数の利用可能なリソースから直交リソースのセットを選択することを含み、前記制御情報を送信する手段は、複数のアップリンク（ＵＬ）キャリア上で前記制御情報を送信することを含み、前記複数のＵＬキャリア中の各ＵＬキャリアは前記複数のＤＬキャリアのうちの１つのそれぞれ対応する、請求項４３に記載の装置。
【請求項４８】
前記ワイヤレス通信ネットワークは、複数のＤＬキャリア上でのダウンリンク（ＤＬ）データ受信のために構成され、前記複数の直交リソースを選択する手段は、単一のＵＬキャリアの帯域幅の端に対する複数の利用可能なリソースのそれぞれの近接度に基づいて前記複数の利用可能なリソースから直交リソースのセットを選択することを含み、前記制御情報を送信する手段は、前記単一のＵＬキャリア上で前記制御情報を送信することを含む、請求項４３に記載の装置。
【請求項４９】
前記ワイヤレス通信ネットワークは、複数のＤＬサブフレーム上でのダウンリンク（ＤＬ）データ受信のために構成され、前記複数の直交リソースを選択する手段は、複数の利用可能なリソースから直交リソースのセットを選択することを含む、請求項４３に記載の装置。
【請求項５０】
前記制御情報を送信する手段は、単一のＵＬサブフレーム上で前記制御情報を送信することを含み、前記制御情報は、前記複数のＤＬサブフレーム上での前記ＤＬデータ受信に関連する肯定応答／否定応答（ＡＣＫ／ＮＡＣＫ）フィードバックを含む、請求項４９に記載の装置。
【請求項５１】
前記複数の直交リソースを選択する手段は、前記単一のＵＬサブフレームの帯域幅の端に対する複数の利用可能なリソースのそれぞれの近接度に基づいて前記複数の利用可能なリソースから直交リソースの前記セットを選択する、請求項５０に記載の装置。
【請求項５２】
複数の送信アンテナをもつユーザ機器（ＵＥ）がアップリンク制御チャネル上で使用するための複数の直交リソースを選択すること、
送信ダイバーシティを用いて、前記複数の直交リソース上の前記アップリンク制御チャネルで前記ＵＥから制御情報を送信すること、
をコンピュータに行わせる命令を含むコンピュータ可読記憶媒体を備えるコンピュータプログラム製品。
【請求項５３】
前記コンピュータ可読記憶媒体は、
ダウンリンク（ＤＬ）制御チャネル上で第１の制御チャネル要素（ＣＣＥ）を受信すること、前記第１のＣＣＥは前記複数の直交リソースのうちの第１のリソースに対応する、
前記複数の直交リソースのうちの第２のリソースを選択すること、前記第２のリソースが前記第１のリソースからの予め定められたオフセットに対応する、
を前記コンピュータに行わせる命令をさらに含む、請求項５２に記載のコンピュータプログラム製品。
【請求項５４】
ワイヤレス通信ネットワークにおいて使用するためのワイヤレス通信装置であって、前記装置は、複数の送信アンテナを使用するアップリンク制御チャネルのためのリソース割振りをサポートし、前記装置は、
前記アップリンク制御チャネル上で使用するための複数の直交リソースを選択することと、
送信ダイバーシティを用いて前記複数の直交リソース上の前記アップリンク制御チャネルで制御情報を送信することと、
を行うように構成されたプロセッサ、
を備えるワイヤレス通信装置。
【請求項５５】
前記プロセッサは、
ダウンリンク（ＤＬ）制御チャネル上で第１の制御チャネル要素（ＣＣＥ）を受信することと、前記第１のＣＣＥは前記複数の直交リソースのうちの第１のリソースに対応する、
前記複数の直交リソースのうちの第２のリソースを選択することと、前記第２のリソースは前記第１のリソースからの予め定められたオフセットに対応する、
を行うようにさらに構成された、請求項５４に記載のワイヤレス通信装置。
【発明の詳細な説明】
【優先権の主張】
【０００１】
関連出願の相互参照
本出願は、その全体が参照により本明細書に組み込まれる、２００９年９月２９日に出願された「UPLINK CONTROL CHANNEL RESOURCE ALLOCATION FOR TRANSMIT DIVERSITY」と題する米国仮特許出願第６１／２４６，８４１号の利益を主張する。
【技術分野】
【０００２】
本開示は、一般に通信に関し、より詳細には、ワイヤレス通信ネットワークにおける複数の送信アンテナにわたる送信ダイバーシティのためのアップリンク制御チャネルリソース割振りに関する。
【背景技術】
【０００３】
３ｒｄ  Ｇｅｎｅｒａｔｉｏｎ  Ｐａｒｔｎｅｒｓｈｉｐ  Ｐｒｏｊｅｃｔ（３ＧＰＰ）  Ｌｏｎｇ  Ｔｅｒｍ  Ｅｖｏｌｕｔｉｏｎ（ＬＴＥ）は、セルラー技術における大きな進歩を表し、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））およびＵｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）の自然進化としての、セルラー３Ｇサービスにおける次のステップの前進である。ＬＴＥは、最高５０メガビット毎秒（Ｍｂｐｓ）のアップリンク速度および最高１００Ｍｂｐｓのダウンリンク速度を提供し、セルラーネットワークに多くの技術的利益をもたらす。ＬＴＥは、次の１０年間に及ぶ、高速データおよびメディアトランスポートならびに大容量ボイスサポートのためのキャリアニーズを満たすように設計されている。帯域幅は、１．２５ＭＨｚから２０ＭＨｚまでスケーラブルである。これは、様々な帯域幅割振りを有する様々なネットワーク事業者のニーズに適し、また、事業者がスペクトルに基づいて様々なサービスを提供することを可能にする。ＬＴＥはまた、３Ｇネットワーク中のスペクトル効率を改善し、キャリアが所与の帯域幅にわたってより多くのデータおよびボイスサービスを提供することを可能にすることが予想される。ＬＴＥは、高速データ、マルチメディアユニキャストおよびマルチメディアブロードキャストサービスを包含する。
【０００４】
ＬＴＥ物理レイヤ（ＰＨＹ）は、拡張基地局（ｅノードＢ）とモバイルユーザ機器（ＵＥ）との間でデータと制御情報の両方を搬送する高効率な手段である。ＬＴＥ  ＰＨＹは、セルラーアプリケーションにとって新しいいくつかの先進技術を採用する。これらは、直交周波数分割多重（ＯＦＤＭ）および多入力多出力（ＭＩＭＯ）データ送信を含む。さらに、ＬＴＥ  ＰＨＹは、ダウンリンク（ＤＬ）上では直交周波数分割多元接続（ＯＦＤＭＡ）を使用し、アップリンク（ＵＬ）上ではシングルキャリア周波数分割多元接続（ＳＣ−ＦＤＭＡ）を使用する。ＯＦＤＭＡは、指定された数のシンボル期間の間、複数のユーザとの間でサブキャリアごとにデータをダイレクトすることを可能にする。
【０００５】
最近では、ＬＴＥ  Ａｄｖａｎｃｅｄが、４Ｇサービスを提供するための発展的モバイル通信規格である。３Ｇ技術として定義されるＬＴＥは、最高１Ｇｂｉｔ／ｓのピークデータレートなど、Ｉｎｔｅｒｎａｔｉｏｎａｌ  Ｔｅｌｅｃｏｍｍｕｎｉｃａｔｉｏｎ  Ｕｎｉｏｎによって定義された、ＩＭＴ  Ａｄｖａｎｃｅｄとも呼ばれる４Ｇの要件を満たさない。ピークデータレートの他に、ＬＴＥ  Ａｄｖａｎｃｅｄはまた、電力状態間の切替えの高速化と、セルエッジにおけるパフォーマンスの改善とを目標にする。
【０００６】
現在のＬＴＥ（Ｒｅｌ−８）における物理アップリンク制御チャネル（ＰＵＣＣＨ）送信は１つのリソースを使用する。送信ダイバーシティを達成するためには、ＰＵＣＣＨのために複数のリソースが必要とされる。
【発明の概要】
【０００７】
以下で、開示する態様のいくつかの態様の基本的理解を与えるために簡略化された概要を提示する。この概要は、包括的な概観ではなく、主要なまたは重要な要素を識別するものでも、そのような態様の範囲を定めるものでもない。その目的は、後で提示するより詳細な説明の導入として、説明する特徴のいくつかの概念を簡略化された形態で提示することである。
【０００８】
１つまたは複数の態様およびその対応する開示に従って、制御情報のダイバーシティ送信を用いてアップリンク制御チャネル上で制御情報を送るためにユーザ機器（ＵＥ）が使用するための複数のリソースを割り振ることに関する様々な態様について説明する。
【０００９】
一態様では、ワイヤレス通信ネットワークにおいて複数の送信アンテナを使用するユーザ機器（ＵＥ）のためのアップリンク制御チャネルのためのリソース割振りのための方法であって、アップリンク制御チャネル上でＵＥが使用する複数の直交リソースを決定することと、決定された複数の直交リソースに基づいて他のユーザ機器のためのリソースのスケジューリングを最適化することと、送信ダイバーシティを用いて該複数の直交リソース上のアップリンク制御チャネルでＵＥから制御情報を受信することと、を備える方法が提供される。
【００１０】
別の態様では、ワイヤレス通信ネットワークにおいて使用するためのワイヤレス通信装置であって、本装置は、複数の送信アンテナを使用するユーザ機器（ＵＥ）のためのアップリンク制御チャネルのためのリソース割振りをサポートし、本装置は、アップリンク制御チャネル上でＵＥが使用する複数の直交リソースを決定する手段と、決定された複数の直交リソースに基づいて他のユーザ機器のためのリソースのスケジューリングを最適化する手段と、送信ダイバーシティを用いて該複数の直交リソース上のアップリンク制御チャネルでＵＥから制御情報を受信する手段と、を備えるワイヤレス通信装置が提供される。
【００１１】
さらなる態様では、コンピュータに、複数の送信アンテナをもつユーザ機器（ＵＥ）がアップリンク制御チャネル上で使用する複数の直交リソースを決定させ、決定された複数の直交リソースに基づいて他のユーザ機器のためのリソースのスケジューリングを最適化させ、送信ダイバーシティを用いて該複数の直交リソース上のアップリンク制御チャネルでＵＥから制御情報を受信させる命令を備えるコンピュータ可読記憶媒体を備えるコンピュータプログラム製品が提供される。
【００１２】
別の態様では、ワイヤレス通信ネットワークにおいて使用するためのワイヤレス通信装置であって、本装置は、複数の送信アンテナを使用するユーザ機器（ＵＥ）のためのアップリンク制御チャネルのためのリソース割振りをサポートし、本装置は、アップリンク制御チャネル上でＵＥが使用する複数の直交リソースを決定することと、決定された複数の直交リソースに基づいて他のユーザ機器のためのリソースのスケジューリングを最適化することと、送信ダイバーシティを用いて該複数の直交リソース上のアップリンク制御チャネルでＵＥから制御情報を受信することと、を行うように構成されたプロセッサを備える、ワイヤレス通信装置が提供される。
【００１３】
別の態様では、ワイヤレス通信ネットワークにおいて複数の送信アンテナを使用するユーザ機器（ＵＥ）のためのアップリンク制御チャネルのためのリソース割振りのための方法であって、アップリンク制御チャネル上でＵＥが使用するための複数の直交リソースを選択することと、送信ダイバーシティを用いて複数の直交リソース上のアップリンク制御チャネルで制御情報を送信することと、を備える方法が提供される。
【００１４】
別の態様では、ワイヤレス通信ネットワークにおいて使用するためのワイヤレス通信装置であって、本装置は、複数の送信アンテナを使用するアップリンク制御チャネルのためのリソース割振りをサポートし、本装置は、アップリンク制御チャネル上で使用するための複数の直交リソースを選択する手段と、ダイバーシティを用いて該複数の直交リソース上のアップリンク制御チャネルで制御情報を送信する手段と、を備えるワイヤレス通信装置が提供される。
【００１５】
さらなる態様では、コンピュータに、複数の送信アンテナをもつユーザ機器（ＵＥ）がアップリンク制御チャネル上で使用するための複数の直交リソースを選択させ、送信ダイバーシティを用いて複数の直交リソース上のアップリンク制御チャネルでＵＥから制御情報を送信させる命令を含むコンピュータ可読記憶媒体を備えるコンピュータプログラム製品が提供される。
【００１６】
別の態様では、ワイヤレス通信ネットワークにおいて使用するためのワイヤレス通信装置であって、本装置は、複数の送信アンテナを使用するアップリンク制御チャネルのためのリソース割振りをサポートし、本装置は、アップリンク制御チャネル上で使用するための複数の直交リソースを選択することと、送信ダイバーシティを用いて該複数の直交リソース上のアップリンク制御チャネルで制御情報を送信することと、を行うように構成されたプロセッサを備えるワイヤレス通信装置が提供される。
【００１７】
上記および関連する目的を達成するために、１つまたは複数の態様は、以下で十分に説明し、特に特許請求の範囲で指摘する特徴を備える。以下の説明および添付の図面は、いくつかの例示的な態様を詳細に記載し、本態様の原理が使用され得る様々な方法のほんのいくつかを示すものである。他の利点および新規の特徴は、以下の詳細な説明を図面とともに検討すれば明らかになり、開示する態様は、すべてのそのような態様およびそれらの均等物を含むものとする。
【００１８】
本開示の特徴、性質、および利点は、全体を通じて同様の参照符号が同様のものを指す図面とともに、以下に記載する詳細な説明を読めばより明らかになろう。
【図面の簡単な説明】
【００１９】
【図１】アップリンク送信ダイバーシティから利益を得る多入力多出力（ＭＩＭＯ）通信システムを示す図。
【図２】アップリンク（ＵＬ）制御チャネルの例示的な構造２００を示す図。
【図３】多数のユーザをサポートするように構成されたワイヤレス通信システムを示す図。
【図４】マクロセル、フェムトセルおよびピコセルを備えるワイヤレス通信システムを示す図。
【図５】１つまたは複数のフェムトノードがネットワーク環境内に展開された通信システムを示す図。
【図６】いくつかの追跡エリア、ルーティングエリアまたはロケーションエリアが定義されたカバレージマップを示す図。
【図７】多元接続ワイヤレス通信システムを示す図。
【図８】多入力多出力（ＭＩＭＯ）通信システムの概略図。
【図９】周波数分割複信（ＦＤＤ）動作におけるＲｅｌ−８  ＬＴＥ  ＵＥによるＡＣＫ／ＮＡＣＫフィードバックを示す図。
【図１０】時分割複信（ＴＤＤ）動作におけるＲｅｌ−８  ＬＴＥ  ＵＥによるＡＣＫ／ＮＡＣＫフィードバックを示す図。
【図１１Ａ】発展型ノードＢ（ｅＮＢ）の観点からの空間直交リソース送信ダイバーシティ（ＳＯＲＴＤ：Spatial Orthogonal-Resource Transmit Diversity）のためのアップリンク（ＵＬ）制御チャネルリソース割振りのための例示的なプロセスを示すフローチャート。
【図１１Ｂ】ユーザ機器（ＵＥ）の観点からのＳＯＲＴＤのためのアップリンク（ＵＬ）制御チャネルリソース割振りのための例示的なプロセスを示すフローチャート。
【図１２Ａ】ＦＤＤ動作における単一のコンポーネントＤＬキャリア構成でのＳＯＲＴＤ  ＡＣＫ／ＮＡＣＫのための例示的なリソーススケジューリング方式を示す図。
【図１２Ｂ】ＦＤＤにおける単一のコンポーネントＤＬキャリア構成でのＳＯＲＴＤ  ＡＣＫ／ＮＡＣＫのための別の例示的なリソーススケジューリング方式を示す図。
【図１３Ａ】ｅＮＢの観点からのＦＤＤ動作における単一のコンポーネントＤＬキャリアに対するＳＯＲＴＤ  ＡＣＫ／ＮＡＣＫフィードバックのための例示的なプロセスを示すフローチャート。
【図１３Ｂ】ＵＥの観点からのＦＤＤ動作における単一のコンポーネントＤＬキャリアに対するＳＯＲＴＤ  ＡＣＫ／ＮＡＣＫフィードバックのための例示的なプロセスを示すフローチャート。
【図１４Ａ】ｅＮＢの観点からのＦＤＤ動作における複数のコンポーネントＤＬキャリアに対するＳＯＲＴＤ  ＡＣＫ／ＮＡＣＫフィードバックのための例示的なプロセスを示すフローチャート。
【図１４Ｂ】ＵＥの観点からのＦＤＤ動作における複数のコンポーネントＤＬキャリアに対するＳＯＲＴＤ  ＡＣＫ／ＮＡＣＫフィードバックのための例示的なプロセスを示すフローチャート。
【図１５】ＦＤＤ動作における１対１のマッピング構成での複数のコンポーネントＤＬキャリアに対するＳＯＲＴＤ  ＡＣＫ／ＮＡＣＫフィードバックを示す図。
【図１６Ａ】ｅＮＢの観点からのＦＤＤ動作における１対１のマッピング構成での複数のコンポーネントＤＬキャリアに対するＳＯＲＴＤ  ＡＣＫ／ＮＡＣＫフィードバックのための例示的なプロセスを示すフローチャート。
【図１６Ｂ】ＵＥの観点からのＦＤＤ動作における１対１のマッピング構成での複数のコンポーネントＤＬキャリアに対するＳＯＲＴＤ  ＡＣＫ／ＮＡＣＫフィードバックのための例示的なプロセスを示すフローチャート。
【図１７】ＦＤＤ動作における多対１のマッピング構成での複数のコンポーネントＤＬキャリアに対するＳＯＲＴＤ  ＡＣＫ／ＮＡＣＫフィードバックを示す図。
【図１８Ａ】ｅＮＢの観点からのＦＤＤ動作における多対１のマッピング構成での複数のコンポーネントＤＬキャリアに対するＳＯＲＴＤ  ＡＣＫ／ＮＡＣＫフィードバックのための例示的なプロセスを示すフローチャート。
【図１８Ｂ】ＵＥの観点からのＦＤＤ動作における多対１のマッピング構成での複数のコンポーネントＤＬキャリアに対するＳＯＲＴＤ  ＡＣＫ／ＮＡＣＫフィードバックのための例示的なプロセスを示すフローチャート。
【図１９】ＴＤＤ動作における複数のＤＬサブフレームに対するＳＯＲＴＤ  ＡＣＫ／ＮＡＣＫフィードバックを示す図。
【図２０Ａ】ｅＮＢの観点からのＴＤＤ動作における複数のＤＬサブフレームに対するＳＯＲＴＤ  ＡＣＫ／ＮＡＣＫフィードバックのための例示的なプロセスを示すフローチャート。
【図２０Ｂ】ＵＥの観点からのＴＤＤ動作における複数のＤＬサブフレームに対するＳＯＲＴＤ  ＡＣＫ／ＮＡＣＫフィードバックのための例示的なプロセスを示すフローチャート。
【図２１Ａ】ｅＮＢの観点からのＳＯＲＴＤ  ＳＰＳ  ＡＣＫ／ＮＡＣＫフィードバックのための例示的なプロセスを示すフローチャート。
【図２１Ｂ】ＵＥの観点からのＳＯＲＴＤ  ＳＰＳ  ＡＣＫ／ＮＡＣＫフィードバックのための例示的なプロセスを示すフローチャート。
【図２２Ａ】スケジューリング要求（ＳＲ：scheduling request）のために構成された複数の直交リソースを含むＵＬキャリアを示す図。
【図２２Ｂ】同時のＳＲ及びＡＣＫ／ＮＡＣＫフィードバックのために構成された複数の直交リソースを含むＵＬキャリアを示す図。
【図２２Ｃ】ＳＲのために構成された複数の直交リソースを含むＵＬキャリアを示す図であって、該複数の直交リソースのうちの少なくとも１つがＡＣＫ／ＮＡＣＫフィードバックのために使用され得る。
【図２３Ａ】ｅＮＢの観点からのＳＯＲＴＤ  ＣＱＩフィードバックのための例示的なプロセスを示すフローチャート。
【図２３Ｂ】ＵＥの観点からのＳＯＲＴＤ  ＣＱＩフィードバックのための例示的なプロセスを示すフローチャート。
【発明を実施するための形態】
【００２０】
次に、図面を参照しながら様々な態様について説明する。以下の記述では、説明の目的で、１つまたは複数の態様の完全な理解を与えるために多数の具体的な詳細を記載する。ただし、様々な態様は、これらの具体的な詳細なしに実施され得ることは明白であろう。他の例では、これらの態様の説明を円滑にするために、よく知られている構造およびデバイスをブロック図の形態で示す。
【００２１】
図１において、通信システム１００は、発展型ベースノード（ｅＮＢ）１０２として示されたノードを配置し、そのｅＮＢ１０２は、スケジューラ１０４に応答して、送信ダイバーシティのためにアップリンク１１２上でユーザ機器（ＵＥ）１１０が使用することができるアップリンク（ＵＬ）直交リソース１０８の割当てをダウンリンク１０６を介して送信する。そのために、ｅＮＢ１０２の送信機（Ｔｘ）１１４および受信機（Ｒｘ）１１６は、多入力多出力（ＭＩＭＯ）動作のために複数のアンテナ１１８を使用することができる。同様に、ＵＥ１１０の送信機（Ｔｘ）１２０および受信機（Ｒｘ）１２２は、ＭＩＭＯ動作のために複数のアンテナ１２４を使用することができる。例示的な態様では、ＵＥ１１０のコンピューティングプラットフォーム１２６は、送信ダイバーシティのために３ＧＰＰ  ＬＴＥ−ＡにおけるＰＵＣＣＨリソース割振り用の割当てを利用する。
【００２２】
ＰＵＣＣＨは、アップリンク（ＵＬ）制御チャネルにおける１つまたは複数のＵＬ直交リソース１０８上でＵＥ１１０からｅＮＢ１０２に送信される。図２は、アップリンク（ＵＬ）制御チャネルの例示的な構造２００を示す図である。構造２００は、ＵＬサブフレーム２１０を備え、ＵＬサブフレーム２１０は、周波数領域のサブキャリアにおいて複数のリソースブロック（ＲＢ：resource block）に分割され、各ＲＢ（たとえば、２３１）が１つのスロット中に配置されるように時間領域において２つのスロット（たとえば、２１１および２２２）に分割される。図示の例では、ＵＬサブフレーム２１０は１ｍｓ長であり、ＲＢ２２０はＲＢ１から
【数１】
2013506386.tif 000003
【００２３】
にわたり、ここで、
【数２】
2013506386.tif 000004
【００２４】
はＵＬ制御チャネル中のＲＢの最大数に対応する。例示的な実施形態では、各ＲＢ（たとえば、２３１）は周波数領域中に１２個のサブキャリアを含む。いくつかの態様では、単一のＲＢは、時間領域において２つのスロット（たとえば、２１１および２２２）にわたって配置される。そのような態様では、ＲＢは、同じ周波数サブキャリア内に２つのスロットにわたって配置されてもされなくてもよい。たとえば、ＲＢは、ＲＢがスロット１において周波数レンジの下部の近くのサブキャリアを占有し、またスロット２において周波数レンジの上部の近くのサブキャリアを占有するように、ミラーホッピングされ得る。
【００２５】
いくつかの態様では、本明細書の教示は、大規模カバレージ（たとえば、一般にマクロセルネットワークと呼ばれる、３Ｇ（第３世代）ネットワークなどの広域セルラーネットワーク）、およびより小規模のカバレージ（たとえば、住居ベースまたは建築物ベースのネットワーク環境）を含むネットワークにおいて採用され得る。アクセス端末（「ＡＴ」）がそのようなネットワーク中を移動するとき、アクセス端末は、あるロケーションでは、マクロカバレージを与えるアクセスノード（「ＡＮ」）によってサービスされ得、他のロケーションでは、より小規模のカバレージを与えるアクセスノードによってサービスされ得る。いくつかの態様では、より小さいカバレージノードを使用して、（たとえば、よりロバストなユーザエクスペリエンスのために）増分キャパシティの増大と、屋内カバレージと、様々なサービスとを与え得る。本明細書での説明では、比較的大きいエリアにわたるカバレージを与えるノードを、マクロノードと呼ぶことがある。比較的小さいエリア（たとえば、住居）にわたるカバレージを与えるノードを、フェムトノードと呼ぶことがある。マクロエリアよりも小さく、フェムトエリアよりも大きいエリアにわたるカバレージを与える（たとえば、商業建築物内のカバレージを与える）ノードを、ピコノードと呼ぶことがある。
【００２６】
マクロノード、フェムトノード、またはピコノードに関連付けられたセルを、それぞれ、マクロセル、フェムトセル、またはピコセルと呼ぶことがある。いくつかの実装形態では、各セルをさらに１つまたは複数のセクタに関連付ける（たとえば、分割する）ことがある。
【００２７】
様々な適用例では、マクロノード、フェムトノード、またはピコノードを指すために他の用語を使用することがある。たとえば、マクロノードを、アクセスノード、基地局、アクセスポイント、ｅノードＢ、マクロセルなどとして構成すること、またはそのように呼ぶことがある。また、フェムトノードを、ホームノードＢ、ホームｅノードＢ、アクセスポイント基地局、フェムトセルなどとして構成すること、またはそのように呼ぶことがある。
【００２８】
図３に、本明細書の教示が実装され得る、いくつかのユーザをサポートするように構成されたワイヤレス通信システム３００を示す。システム３００は、たとえば、マクロセル３０２ａ〜３０２ｇなど、複数のセル３０２の通信を可能にし、各セルは、対応するアクセスノード３０４（たとえば、アクセスノード３０４ａ〜３０４ｇ）によってサービスされる。図３に示すように、アクセス端末３０６（たとえば、アクセス端末３０６ａ〜３０６ｌ）は、時間とともにシステム全体にわたって様々なロケーションに分散され得る。各アクセス端末３０６は、たとえば、アクセス端末３０６がアクティブであるどうか、およびアクセス端末３０６がソフトハンドオフ中であるどうかに応じて、所与の瞬間に順方向リンク（「ＦＬ」）および／または逆方向リンク（「ＲＬ」）上で１つまたは複数のアクセスノード３０４と通信し得る。ワイヤレス通信システム３００は大きい地理的領域にわたってサービスを提供し得る。たとえば、マクロセル３０２ａ〜３０２ｇは、近傍の数ブロックをカバーし得る。
【００２９】
図４に示す例では、基地局４１０ａ、４１０ｂおよび４１０ｃは、それぞれマクロセル４０２ａ、４０２ｂおよび４０２ｃのためのマクロ基地局であり得る。基地局４１０ｘは、端末４２０ｘと通信しているピコセル４０２ｘのためのピコ基地局であり得る。基地局４１０ｙは、端末４２０ｙと通信しているフェムトセル４０２ｙのためのフェムト基地局であり得る。簡単のために図４には示されていないが、マクロセルはエッジにおいて重複することがある。ピコセルおよびフェムトセルは、（図４に示すように）マクロセル内に位置するか、あるいはマクロセルおよび／または他のセルと重複することがある。
【００３０】
ワイヤレスネットワーク４００はまた、中継局、たとえば、端末４２０ｚと通信する中継局４１０ｚを含み得る。中継局は、上流局からデータおよび／または他の情報の送信を受信し、そのデータおよび／または他の情報の送信を下流局に送る局である。上流局は、基地局、別の中継局、または端末であり得る。下流局は、端末、別の中継局、または基地局であり得る。中継局はまた、他の端末に対する送信を中継する端末であり得る。中継局は、低再使用プリアンブルを送信および／または受信し得る。たとえば、中継局は、ピコ基地局と同様の方法で低再使用プリアンブルを送信し得、端末と同様の方法で低再使用プリアンブルを受信し得る。
【００３１】
ネットワークコントローラ４３０は、基地局のセットに結合し、これらの基地局の調整および制御を行い得る。ネットワークコントローラ４３０は、単一のネットワークエンティティまたはネットワークエンティティの集合であり得る。ネットワークコントローラ４３０はバックホールを介して基地局４１０と通信し得る。バックホールネットワーク通信４３４は、そのような分散アーキテクチャを採用する基地局４１０ａ〜４１０ｃ間のポイントツーポイント通信を可能にすることができる。また、基地局４１０ａ〜４１０ｃは、たとえば、直接的にあるいはワイヤレスバックホールまたはワイヤラインバックホールを介して間接的に、互いに通信し得る。
【００３２】
ワイヤレスネットワーク４００は、マクロ基地局（図４に図示せず）のみを含む同種ネットワークであり得る。ワイヤレスネットワーク４００はまた、たとえば、マクロ基地局、ピコ基地局、フェムト（ホーム）基地局、中継局など、様々なタイプの基地局を含む異種ネットワークであり得る。これらの様々なタイプの基地局は、様々な送信電力レベル、様々なカバレージエリア、およびワイヤレスネットワーク４００中の干渉に対する様々な影響を有し得る。たとえば、マクロ基地局は、高い送信電力レベル（たとえば、２０ワット）を有し得るが、ピコ基地局、フェムト基地局は、低い送信電力レベル（たとえば、９ワット）を有し得る。本明細書で説明する技法は同種ネットワークと異種ネットワークとのために使用され得る。
【００３３】
複数の端末４２０は、ワイヤレスネットワーク４００全体にわたって分散され得、各端末は固定でも移動でもよい。端末は、アクセス端末（ＡＴ）、移動局（ＭＳ）、ユーザ機器（ＵＥ）、加入者ユニット、局などと呼ばれることもある。端末は、セルラー電話、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局などであり得る。端末は、ダウンリンクおよびアップリンクを介して基地局と通信し得る。ダウンリンク（または順方向リンク）は、基地局から端末への通信リンクを指し、アップリンク（または逆方向リンク）は、端末から基地局への通信リンクを指す。
【００３４】
端末は、マクロ基地局、ピコ基地局、フェムト基地局、および／または他のタイプの基地局と通信することが可能であり得る。図４では、両矢印の実線は、ダウンリンクおよび／またはアップリンク上の、端末とその端末をサービスするように指定された基地局であるサービング基地局との間の所望の送信を示す。両矢印の破線は、端末と基地局との間の干渉送信を示す。干渉基地局は、ダウンリンク上で端末への干渉を引き起こし、および／またはアップリンク上で端末からの干渉を観測する基地局である。
【００３５】
ワイヤレスネットワーク４００は、同期または非同期動作をサポートし得る。同期動作では、基地局は同じフレームタイミングを有し、異なる基地局からの送信は時間的に整合される。非同期動作では、基地局は異なるフレームタイミングを有することがあり、異なる基地局からの送信は時間的に整合されないことがある。非同期動作は、屋内に展開され得るピコ基地局およびフェムト基地局ではより一般的であり得、Ｇｌｏｂａｌ  Ｐｏｓｉｔｉｏｎｉｎｇ  Ｓｙｓｔｅｍ（ＧＰＳ）などの同期ソースにアクセスできないことがある。
【００３６】
一態様では、システム容量を改善するために、それぞれの基地局４１０ａ〜４１０ｃに対応するカバレージエリア４０２ａ、４０２ｂ、または４０２ｃは、複数のより小さいエリア（たとえば、エリア４０４ａ、４０４ｂ、および４０４ｃ）に区分され得る。より小さいエリア４０４ａ、４０４ｂ、および４０４ｃの各々は、それぞれのベーストランシーバサブシステム（ＢＴＳ、図示せず）によってサービスされ得る。本明細書および当技術分野で一般に使用する「セクタ」という用語は、この用語が使用される文脈に応じて、ＢＴＳおよび／またはそのカバレージエリアを指すことがある。一例では、セル４０２ａ、４０２ｂ、４０２ｃ中のセクタ４０４ａ、４０４ｂ、４０４ｃは、基地局４１０におけるアンテナのグループ（図示せず）によって形成され、アンテナの各グループは、セル４０２ａ、４０２ｂ、または４０２ｃの一部分において端末４２０との通信を受け持つ。たとえば、セル４０２ａをサービスする基地局４１０は、セクタ４０４ａに対応する第１のアンテナグループと、セクタ４０４ｂに対応する第２のアンテナグループと、セクタ４０４ｃに対応する第３のアンテナグループとを有することができる。だたし、本明細書で開示する様々な態様は、セクタ化されたセルおよび／またはセクタ化されていないセルを有するシステムにおいて使用され得ることを諒解されたい。さらに、任意の数のセクタ化されたセルおよび／またはセクタ化されていないセルを有するすべての好適なワイヤレス通信ネットワークは、本明細書に添付の特許請求の範囲の範囲内に入るものであることを諒解されたい。簡単のために、本明細書で使用する「基地局」という用語は、セクタをサービスする局ならびにセルをサービスする局の両方を指すことがある。本明細書で使用する、独立リンクシナリオにおけるダウンリンクセクタはネイバーセクタであることを諒解されたい。以下の説明は、概して、各端末が簡単のために１つのサービングアクセスポイントと通信するシステムに関するが、端末は任意の数のサービングアクセスポイントと通信することができることを諒解されたい。
【００３７】
図５に、１つまたは複数のフェムトノードがネットワーク環境内に展開された例示的な通信システム５００を示す。特に、システム５００は、比較的小規模のネットワーク環境（たとえば、ユーザ住居５３０ａおよび５３０ｂ）中に設置された複数のフェムトノード５１０（たとえば、フェムトノード５１０ａおよび５１０ｂ）を含む。各フェムトノード５１０は、ワイドエリアネットワーク５４０（たとえば、インターネット）に結合され得る。各フェムトノード５１０はまた、マクロセルアクセス５６０を介して、あるいはＤＳＬルータ、ケーブルモデム、ワイヤレスリンク、または他の接続手段（図示せず）を介してモバイル事業者コアネットワーク５５０に結合され得る。以下で説明するように、各フェムトノード（たとえば、５１０ａまたは５１０ｂ）は、関連するアクセス端末５２０（たとえば、アクセス端末５２０ａ）、および、随意に、外来（alien）アクセス端末５２０（たとえば、アクセス端末５２０ｂ）をサービスするように構成され得る。言い換えれば、フェムトノードへのアクセスは制限され得、それによって、所与のアクセス端末（たとえば、５２０ａ）は、指定された（１つまたは複数の）（たとえば、ホーム）フェムトノードのセット（たとえば、５１０ａ）によってサービスされ得るが、指定されていないフェムトノード（たとえば、ネイバーのフェムトノード５１０ｂ）によってサービスされ得ない。
【００３８】
図６に、いくつかの追跡エリア６０２（またはルーティングエリアもしくはロケーションエリア）が画定されたカバレージマップ６００の例を示し、そのエリアの各々はいくつかのマクロカバレージエリア６０４を含む。ここで、追跡エリア６０２ａ、６０２ｂ、および６０２ｃに関連付けられたカバレージのエリアは太線によって示され、マクロカバレージエリア６０４は六角形によって表される。追跡エリア６０２はフェムトカバレージエリア６０６をも含む。この例では、フェムトカバレージエリア６０６の各々（たとえば、フェムトカバレージエリア６０６ｃ）は、マクロカバレージエリア６０４（たとえば、マクロカバレージエリア６０４ｂ）内に示されている。ただし、フェムトカバレージエリア６０６は、完全にマクロカバレージエリア６０４内にあるわけではないことを諒解されたい。実際には、多数のフェムトカバレージエリア６０６が所与の追跡エリア６０２またはマクロカバレージエリア６０４とともに画定され得る。また、１つまたは複数のピコカバレージエリア（図示せず）が所与の追跡エリア６０２またはマクロカバレージエリア６０４内に画定され得る。
【００３９】
再び図５を参照すると、フェムトノード５１０の所有者は、たとえば、３Ｇモバイルサービスなど、マクロセルラーネットワーク（たとえば、モバイル事業者コアネットワーク５５０）を通して提供されるモバイルサービスに加入し得る。さらに、アクセス端末５２０は、マクロ環境と、より小規模の（たとえば、宅内）ネットワーク環境の両方で動作することが可能であり得る。言い換えれば、アクセス端末５２０の現在のロケーションに応じて、所与のアクセス端末（たとえば、５２０ｃ）は、マクロセルラーネットワーク５５０のアクセスノード５６０によってサービスされ得、あるいは代替的に、所与のアクセス端末（たとえば、５２０ａまたは５２０ｂ）は、フェムトノード５１０のセットのうちのいずれか１つ（たとえば、対応するユーザ住居５３０ａおよび５３０ｂ内に常駐するフェムトノード５１０ａおよび５１０ｂ）によってサービスされ得る。たとえば、加入者は、自宅の外にいるときは標準のマクロアクセスノード（たとえば、マクロセルアクセス５６０）によってサービスされ、自宅の中にいるときはフェムトノード（たとえば、ノード５１０ａ）によってサービスされる。ここで、フェムトノード５１０は既存のアクセス端末５２０と後方互換性があり得ることを諒解されたい。
【００４０】
フェムトノード５１０は、単一の周波数上に展開され得、または代替として、複数の周波数上に展開され得る。特定の構成に応じて、単一の周波数、あるいは複数の周波数のうちの１つまたは複数は、マクロノード（たとえば、マクロセルアクセス５６０）によって使用される１つまたは複数の周波数と重複することがある。
【００４１】
いくつかの態様では、アクセス端末５２０は、そのような接続性が可能であるときはいつでも、好適なフェムトノード（たとえば、アクセス端末５２０のホームフェムトノード）に接続するように構成され得る。たとえば、アクセス端末５２０がユーザの住居５３０（たとえば、５３０ａまたは５３０ｂ）内にあるときはいつでも、アクセス端末５２０（たとえば、５２０ａまたは５２０ｂ）がホームフェムトノード５１０（たとえば、５１０ａまたは５１０ｂ）のみと通信することが望ましいことがある。
【００４２】
いくつかの態様では、アクセス端末５２０がマクロセルラーネットワーク５５０内で動作しているが、（たとえば、好適なローミングリスト中で定義された）その最も好適なネットワーク上に存在していない場合、アクセス端末５２０は、ベターシステムリセレクション（Better System Reselection）（「ＢＳＲ」）を使用して、最も好適なネットワーク（たとえば、好適なフェムトノード５１０）を探索し続ける。ベターシステムリセレクションは、利用可能なシステムの周期的なスキャンを行って、より良好なシステムが現在利用可能であるかどうかを決定し、その後、そのような好適なシステムに関連付けようとする。捕捉（acquisition）エントリを用いて、アクセス端末５２０は特定の帯域およびチャネルの探索を制限し得る。たとえば、最も好適なシステムの探索が周期的に繰り返される。好適なフェムトノード５１０が発見されると、アクセス端末５２０は、そのカバレージエリア内にキャンプ（camp）するためにフェムトノード５１０を選択する。
【００４３】
フェムトノードは、いくつかの態様では、制限されることがある。たとえば、所与のフェムトノードは、いくつかのサービスをいくつかのアクセス端末のみに提供し得る。いわゆる制限付きrestricted（またはクローズドclosed）接続（association）での展開では、所与のアクセス端末は、マクロセルモバイルネットワークと、フェムトノードの定義されたセット（たとえば、対応するユーザ住居５３０内に存在するフェムトノード５１０）とによってのみサービスされ得る。いくつかの実装形態では、ノードは、少なくとも１つのノードに、シグナリング、データアクセス、登録、ページング、またはサービスのうちの少なくとも１つを与えないように制限される。
【００４４】
いくつかの態様では、（限定加入者グループホームノードＢ(Closed Subscriber Group Home nodeB)と呼ばれることもある）制限(restricted)フェムトノードは、制限された(restricted)プロビジョニングされた(provisioned)アクセス端末のセットにサービスを提供するノードである。このセットは、必要に応じて、一時的にまたは永続的に拡大され得る。いくつかの態様では、限定加入者グループ（Closed Subscriber Group）（「ＣＳＧ」）は、アクセス端末の共通のアクセス制御リストを共有するアクセスノード（たとえば、フェムトノード）のセットとして定義される。領域中のすべてのフェムトノード（またはすべての制限フェムトノード）が動作するチャネルをフェムトチャネルと呼ぶことがある。
【００４５】
したがって、所与のフェムトノードと所与のアクセス端末との間には様々な関係が存在し得る。たとえば、アクセス端末の観点から、オープンフェムトノードは、制限付き接続のないフェムトノードを指すことがある。制限フェムトノードは、何らかの形で制限された（たとえば、接続(association)および／または登録について制限された）フェムトノードを指すことがある。ホームフェムトノードは、アクセス端末がアクセスし、その上で動作することを許可されるフェムトノードを指すことがある。ゲストフェムトノードは、アクセス端末がアクセスするかまたはその上で動作することを一時的に許可されるフェムトノードを指すことがある。外来(alien)フェムトノードは、おそらく非常事態（たとえば、９１１番）を除いて、アクセス端末がアクセスするかまたはその上で動作することを許可されないフェムトノードを指すことがある。
【００４６】
制限フェムトノードの観点から、ホームアクセス端末は、制限フェムトノードへのアクセスを許可されたアクセス端末を指すことがある。ゲストアクセス端末は、制限フェムトノードへの一時的アクセスをもつアクセス端末を指すことがある。外来アクセス端末は、たとえば、おそらく９１１番などの非常事態を除いて、制限フェムトノードにアクセスする許可を有していないアクセス端末（たとえば、制限フェムトノードに登録する証明書または許可を有していないアクセス端末）を指すことがある。
【００４７】
便宜上、上記の説明は、フェムトノードの文脈で様々な機能について説明したものである。ただし、ピコノードは、同じまたは同様の機能をより大きいカバレージエリアに提供し得ることを諒解されたい。たとえば、所与のアクセス端末に対して、ピコノードを制限すること、ホームピコノードを定義することなどが可能であり得る。
【００４８】
ワイヤレス多元接続通信システムは、複数のワイヤレスアクセス端末のための通信を同時にサポートし得る。上述のように、各端末は、順方向リンクおよび逆方向リンク上での伝送を介して１つまたは複数の基地局と通信し得る。順方向リンク（またはダウンリンク）は基地局から端末への通信リンクを指し、逆方向リンク（またはアップリンク）は端末から基地局への通信リンクを指す。この通信リンクは、単入力単出力システム、多入力多出力（「ＭＩＭＯ」）システム、または何らかの他のタイプのシステムを介して確立され得る。
【００４９】
図７を参照すると、一態様による多元接続ワイヤレス通信システムが示されている。アクセスポイント（ＡＰ）７００は複数のアンテナグループを含み、あるアンテナグループは７０７と７０６とを含み、別のアンテナグループは７０８と７１０とを含み、追加のアンテナグループは７１２と７１４とを含む。図７では、アンテナグループごとに２つのアンテナのみが示されているが、アンテナグループごとにより多いまたはより少ないアンテナが利用され得る。ユーザ機器（ＵＥ）７１６はアンテナ７１２および７１４と通信しており、アンテナ７１２および７１４は、順方向リンク７２０を介してＵＥ７１６に情報を送信し、逆方向リンク７１８を介してＵＥ７１６から情報を受信する。ユーザ機器（ＵＥ）７２２はアンテナ７０６および７０８と通信しており、アンテナ７０６および７０８は、順方向リンク７２６を介してＵＥ７２２に情報を送信し、逆方向リンク７２４を介してＵＥ７２２から情報を受信する。ＦＤＤシステムでは、通信リンク７１８、７２０、７２４および７２６は、通信のための異なる周波数を使用し得る。たとえば、順方向リンク７２０は、逆方向リンク７１８によって使用される周波数とは異なる周波数を使用し得る。
【００５０】
アンテナの各グループ、および／またはアンテナが通信するために設計されたエリアは、しばしば、アクセスポイントのセクタと呼ばれる。この態様では、アンテナグループはそれぞれ、アクセスポイント７００によってカバーされるエリアのセクタ内でアクセス端末に通信するように設計される。
【００５１】
順方向リンク７２０および７２６を介した通信では、アクセスポイント７００の送信アンテナは、異なるＵＥ７１６および７２２に対して順方向リンクの信号対雑音比を改善するためにビームフォーミングを利用する。また、アクセスポイントが、ビームフォーミングを使用して、そのカバレージ中にランダムに分散されたＵＥに送信するほうが、アクセスポイントがシングルアンテナを介してすべてのそのアクセス端末に送信するよりも、隣接セル中のアクセス端末への干渉が小さくなる。
【００５２】
アクセスポイントは、端末との通信に使用される固定局であり得、アクセスポイント、ノードＢ、または何らかの他の用語で呼ばれることもある。ＵＥは、アクセス端末、ワイヤレス通信デバイス、端末、または何らかの他の用語と呼ばれることもある。
【００５３】
ＭＩＭＯシステムは、データ伝送のために複数（ＮT）個の送信アンテナと複数（ＮR）個の受信アンテナとを使用する。ＮT個の送信アンテナとＮR個の受信アンテナとによって形成されるＭＩＭＯチャネルは、空間チャネルとも呼ばれるＮS個の独立チャネルに分解され得、ただし、ＮS≦ｍｉｎ｛ＮT，ＮR｝である。ＮS個の独立チャネルの各々は１つの次元に対応する。複数の送信アンテナおよび受信アンテナによって生成された追加の次元数が利用された場合、ＭＩＭＯシステムは改善されたパフォーマンス（たとえば、より高いスループットおよび／またはより大きい信頼性）を与え得る。
【００５４】
ＭＩＭＯシステムは時分割複信（「ＴＤＤ」）および周波数分割複信（「ＦＤＤ」）をサポートし得る。ＴＤＤシステムでは、順方向リンク送信と逆方向リンク送信とが同じ周波数領域上で行われるので、相反定理により逆方向リンクチャネルからの順方向リンクチャネルの推定が可能である。これにより、複数のアンテナがアクセスポイントで利用可能なとき、アクセスポイントは順方向リンク上で送信ビームフォーミング利得を抽出することが可能になる。
【００５５】
本明細書の教示は、少なくとも１つの他のノードと通信するための様々な構成要素を採用するノード（たとえば、デバイス）に組み込まれ得る。図８に、ノード間の通信を可能にするために採用され得るいくつかの例示的な構成要素を示す。詳細には、図８は、ＭＩＭＯシステム８００のワイヤレスデバイス８１０（たとえば、アクセスポイント）およびワイヤレスデバイス８５０（たとえば、アクセス端末）を示している。デバイス８１０では、いくつかのデータストリームのトラフィックデータが、データソース８１２から送信（「ＴＸ」）データプロセッサ８１４に供給される。
【００５６】
いくつかの態様では、各データストリームは、それぞれの送信アンテナを介して送信される。ＴＸデータプロセッサ８１４は、符号化データを与えるために、各データストリームのトラフィックデータを、そのデータストリーム用に選択された特定の符号化方式に基づいてフォーマットし、符号化し、インターリーブする。
【００５７】
各データストリームの符号化データは、ＯＦＤＭ技法を使用してパイロットデータで多重化され得る。パイロットデータは、典型的には、既知の方法で処理され、チャネル応答を推定するために受信機システムにおいて使用され得る、既知のデータパターンである。次いで、各データストリームの多重化されたパイロットデータおよび符号化データは、変調シンボルを与えるために、そのデータストリーム用に選択された特定の変調方式（たとえば、ＢＰＳＫ、ＱＳＰＫ、Ｍ−ＰＳＫ、またはＭ−ＱＡＭ）に基づいて変調（すなわち、シンボルマッピング）される。各データストリームのデータレート、符号化、および変調は、プロセッサ８３０によって実行される命令によって決定され得る。データメモリ８３２は、プロセッサ８３０またはデバイス８１０の他の構成要素によって使用されるプログラムコード、データ、および他の情報を記憶し得る。
【００５８】
次いで、すべてのデータストリームの変調シンボルがＴＸ  ＭＩＭＯプロセッサ８２０に供給され、ＴＸ  ＭＩＭＯプロセッサ８２０はさらに（たとえば、ＯＦＤＭ用に）その変調シンボルを処理し得る。次いで、ＴＸ  ＭＩＭＯプロセッサ８２０は、ＮT個の変調シンボルストリームを、各々が送信機（ＴＭＴＲ）と受信機（ＲＣＶＲ）とを有するＮT個のトランシーバ（「ＸＣＶＲ」）８２２ａ〜８２２ｔに供給する。いくつかの態様では、ＴＸ  ＭＩＭＯプロセッサ８２０は、データストリームのシンボルと、シンボルの送信元のアンテナとにビームフォーミング重みを付加する。
【００５９】
各トランシーバ８２２ａ〜８２２ｔは、それぞれのシンボルストリームを受信し、処理して、１つまたは複数のアナログ信号を供給し、さらに、それらのアナログ信号を調整（たとえば、増幅、フィルタ処理、およびアップコンバート）して、ＭＩＭＯチャネルを介して送信するのに適した変調信号を与える。次いで、トランシーバ８２２ａ〜８２２ｔからのＮT個の変調信号は、それぞれＮT個のアンテナ８２４ａ〜８２４ｔから送信される。
【００６０】
デバイス８５０では、送信された変調信号はＮR個のアンテナ８５２ａ〜８５２ｒによって受信され、各アンテナ８５２ａ〜８５２ｒからの受信信号は、それぞれのトランシーバ（「ＸＣＶＲ」）８５４ａ〜８５４ｒに供給される。各トランシーバ８５４ａ〜８５４ｒは、それぞれの受信信号を調整（たとえば、フィルタ処理、増幅、およびダウンコンバート）し、調整された信号をデジタル化して、サンプルを与え、さらにそれらのサンプルを処理して、対応する「受信」シンボルストリームを与える。
【００６１】
次いで、受信（「ＲＸ」）データプロセッサ８６０は、特定の受信機処理技法に基づいてＮR個のトランシーバ８５４ａ〜８５４ｒからＮR個の受信シンボルストリームを受信し、処理して、ＮT個の「検出」シンボルストリームを与える。次いで、ＲＸデータプロセッサ８６０は、各検出シンボルストリームを復調し、デインターリーブし、復号して、データストリームのトラフィックデータを復元する。ＲＸデータプロセッサ８６０による処理は、デバイス８１０におけるＴＸ  ＭＩＭＯプロセッサ８２０およびＴＸデータプロセッサ８１４によって実行される処理を補足するものである。
【００６２】
プロセッサ８７０は、どのプリコーディング行列を使用すべきかを定期的に決定する。プロセッサ８７０は、行列インデックス部分とランク値部分とを備える逆方向リンクメッセージを作成する。データメモリ８７２は、プロセッサ８７０またはデバイス８５０の他の構成要素によって使用されるプログラムコード、データ、および他の情報を記憶し得る。
【００６３】
逆方向リンクメッセージは、通信リンクおよび／または受信データストリームに関する様々なタイプの情報を備え得る。次いで、逆方向リンクメッセージは、データソース８３６からいくつかのデータストリームのトラフィックデータをも受信するＴＸデータプロセッサ８３８によって処理され、変調器８８０によって変調され、トランシーバ８５４ａ〜８５４ｒによって調整され、デバイス８１０に返信される。
【００６４】
デバイス８１０では、デバイス８５０からの変調信号は、アンテナ８２４ａ〜８２４ｔによって受信され、トランシーバ８２２ａ〜８２２ｔによって調整され、復調器（「ＤＥＭＯＤ」）８４０によって復調され、ＲＸデータプロセッサ８４２によって処理されて、デバイス８５０によって送信された逆方向リンクメッセージが抽出される。次いで、プロセッサ８３０は、ビームフォーミング重みを決定するためにどのプリコーディング行列を使用すべきかを決定し、次いで、抽出されたメッセージを処理する。
【００６５】
図８はまた、通信構成要素が、干渉制御動作を実行する１つまたは複数の構成要素を含み得ることを示す。たとえば、干渉（「ＩＮＴＥＲ」）制御構成要素８９０は、デバイス８１０のプロセッサ８３０および／または他の構成要素と協働して、別のデバイス（たとえば、デバイス８５０）との間で信号を送信／受信し得る。同様に、干渉制御構成要素８９２は、デバイス８５０のプロセッサ８７０および／または他の構成要素と協働して、別のデバイス（たとえば、デバイス８１０）との間で信号を送信／受信し得る。各デバイス８１０および８５０について、説明された構成要素の１つまたは複数の機能は単一の構成要素によって提供され得ることを諒解されたい。たとえば、単一の処理構成要素が干渉制御構成要素８９０およびプロセッサ８３０の機能を提供し、また、単一の処理構成要素が干渉制御構成要素８９２およびプロセッサ８７０の機能を提供し得る。
【００６６】
現在、ＬＴＥ  Ｒｅｌ．１０においてＵＬシングルアンテナポートモードが定義されている。このモードでは、ＵＥ挙動は、ｅＮＢの観点から、シングルアンテナをもつＵＥ挙動と同じである。厳密なＵＥ実装形態はＵＥベンダー（たとえば、ＰＡアーキテクチャ）に任せられている。詳細なシナリオおよび動作は定義されていないが、ＰＵＣＣＨ、および／または物理アップリンク共有チャネル（ＰＵＳＣＨ）、および／またはサウンディング基準信号（ＳＲＳ：Sounding Reference Signal）送信が、シングルアップリンクアンテナポート送信のために独立して構成され得る。
【００６７】
ｅＮＢがＵＥ送信アンテナ構成に気づく前は、アップリンク（ＵＬ）シングルアンテナポートモードがデフォルトの動作モードである。パフォーマンスの向上のために複数のＰＵＣＣＨリソースを採用した送信ダイバーシティ方式が利用可能である。特に、同じ変調シンボルｄ（０）が異なるアンテナから異なる直交リソース上で送信される、空間直交リソース送信ダイバーシティ（ＳＯＲＴＤ）が適用される。リソース割振りはこれから定義されることになる。ＰＵＣＣＨフォーマット２／２ａ／２ｂもこれから対処されることになる。
【００６８】
４つの送信アンテナ（４Ｔｘ）のための複数リソースＰＵＣＣＨは、２つの仮想アンテナ上に２Ｔｘ送信ダイバーシティ（ＴｘＤ）を適用することによって達成され得るが、仮想化の詳細はＵＥ実装の問題として残されている。
【００６９】
ＰＵＣＣＨは異なるフォーマットに分割され得る。Ｒｅｌ−８におけるＰＵＣＣＨモードに関しては、ＰＵＣＣＨ上にＵＬ制御情報の以下の組合せがサポートされる。
【００７０】
フォーマット１ａまたは１ｂでＡＣＫ／ＮＡＣＫ、
チャネル選択をもつフォーマット１ｂでＡＣＫ／ＮＡＣＫ、
フォーマット１でＳＲ、
フォーマット１ａまたは１ｂでＡＣＫ／ＮＡＣＫ＋ＳＲ、
フォーマット２でＣＱＩ、および
ノーマルＣＰの場合フォーマット２ａまたは２ｂ、拡張ＣＰの場合フォーマット２で、ＣＱＩ＋ＡＣＫ／ＮＡＣＫ
図１に関して上記で示したように、物理アップリンク制御チャネル（ＰＵＣＣＨ）は、ＵＥ１１０から発展型ベースノード（ｅＮＢ）１０２へのアップリンクアクセスリンクである。ＰＵＣＣＨは、肯定応答および／または否定応答（ＡＣＫ／ＮＡＣＫ）、チャネル品質インジケータ（ＣＱＩ：channel quality indicator）および／またはスケジューリング要求（ＳＲ）を示す制御情報をｅＮＢ１０２に送信するために使用され得る。ＰＵＣＣＨは、ＵＥ１１０の観点からは、たとえば、周波数領域における１２個のサブキャリアと時間領域における１つのスロットとを備える、１つのリソースブロック（ＲＢ）として見られる。
【００７１】
Ｉ．  ＡＣＫ／ＮＡＣＫの動的スケジューリング
たいていの場合、スケジューリングは完全に動的である。ダウンリンク方向では、データが利用可能であるとき、リソースが割り当てられる。データがアップリンクにおいて送られるべき場合は、データがＵＥのアップリンクバッファ中に到着したときはいつでも、ＵＥは送信機会を動的に要求する。ダウンリンク方向において送られるデータとアップリンク送信機会とに関する情報は、各サブフレームの最初に送られる無線レイヤ制御チャネル中で搬送される。
【００７２】
サブフレームｎ−４における対応するＰＤＣＣＨ（物理ダウンリンク制御チャネル）をもつＰＤＳＣＨ（物理ダウンリンク共有チャネル）送信の場合、
【数３】
2013506386.tif 000005
【００７３】
ｎCCEは、対応するＤＣＩ（Downlink Control Information）（ダウンリンク制御情報）割当てのための第１のＣＣＥ（Control Channel Element）（制御チャネル要素）のインデックスである。
【００７４】
Ｎ(1)PUCCHは上位レイヤ構成数である。
【００７５】
サブフレームｎ−４におけるＰＤＣＣＨなしのＰＤＳＣＨ送信の場合、ＰＵＣＣＨリソースインデックスは、上位レイヤによって構成され、半永続的スケジューリング（ＳＰＳ：semi-persistent scheduling）アクティブ化において「ＴＰＣコマンド」値によって通知される。リソースは、直交シーケンスインデックスとサイクリックシフトとを適用することによってｎ(1)PUCCHからマッピングされる。
【００７６】
物理リソースは、ｎ(1)PUCCHによって、最初に、ＰＵＣＣＨのために使用される帯域幅のＲＢインデックスであるｍを決定し、次いで、ｍから、偶数スロットおよび奇数スロット中の物理ＲＢインデックスを得ることによって決定される。
【００７７】
図９は、周波数分割複信（ＦＤＤ）動作におけるＲｅｌｅａｓｅ−８（Ｒｅｌ−８）ＬＴＥ  ＵＥによるＡＣＫ／ＮＡＣＫフィードバックを示す図９００である。図９００には、第１の制御チャネル要素（control channel element:ＣＣＥ）９１１と、第２のＣＣＥ９１２と、ＤＬデータチャネル（たとえば、ＰＤＳＣＨ）９１５とを含む、ＤＬサブフレームｎ−４  ９１０が示されている。このようにして、ＤＬサブフレームｎ−４  ９１０中の第１のＣＣＥ９１１内のダウンリンク制御情報（ＤＣＩ）および第２のＣＣＥ９１２上のＤＣＩとともに、ＤＬデータチャネル９１５上のデータを用いてｅＮＢからＵＥへのダウンリンク（ＤＬ）データ送信が行われる。それに応答して、ＤＬデータ送信９０１に対応するＡＣＫ／ＮＡＣＫ９４９がＵＬ制御チャネル（たとえば、ＰＵＣＣＨ）においてＵＥからｅＮＢに送られる。この点について、ＤＣＩを搬送する第１のＣＣＥ９１１は、（矢印９０１によって示されるように）ＵＬサブフレーム９４０におけるリソースブロック（ＲＢ９４１）および対応する直交リソースインデックスをポイントしている。図９に示す例では、リソースブロックＲＢ９４１は、ＵＬサブフレーム９４０の２つのスロットにわたってミラーホッピングされる。
【００７８】
ＴＤＤのためのＲｅｌ−８  ＬＴＥ規格では、２つのＡＣＫ／ＮＡＣＫモードがサポートされている。第１のＡＣＫ／ＮＡＣＫモードでは、ＡＣＫ／ＮＡＣＫメッセージはＵＬサブフレーム９４０中の１つのリソースにバンドル（bundle）され、第２のＡＣＫ／ＮＡＣＫモードでは、ＡＣＫ／ＮＡＣＫメッセージはＵＬサブフレーム９４０中の複数のリソースにおいて多重化される。ＵＬ−ＤＬ構成５：ＤＳＵＤＤＤＤＤＤＤの場合、第１の（バンドリング）ＡＣＫ／ＮＡＣＫモードのみがサポートされる。
【００７９】
図１０は、時分割複信（ＴＤＤ）動作におけるＲｅｌ−８  ＬＴＥ  ＵＥによるＡＣＫ／ＮＡＣＫフィードバックを示す図である。第１のＤＬサブフレーム１０１０中の第１のＣＣＥ１０１１および第２のＣＣＥ１０１２上のダウンリンク制御情報（ＤＣＩ）とともに、ＤＬデータチャネル（たとえば、ＰＤＳＣＨ）１０１５上のデータを用いてｅＮＢからＵＥへの第１のダウンリンク（ＤＬ）データ送信が行われる。その後、第２のＤＬサブフレーム１０２０中の第１のＣＣＥ１０２１及び第２のＣＣＥ１０２２及び第３のＣＣＥ１０２３上のＤＣＩとともに、ＤＬデータチャネル（たとえば、ＰＤＳＣＨ）１０２５上のデータを用いてｅＮＢからＵＥへの第２のＤＬデータ送信が行われる。ＤＬサブフレーム１０１０および１０２０中のスケジュールされたＣＣＥは、（矢印１００１および１００２によって示されるように）ＵＥによってＰＵＣＣＨのために使用されるべきＵＬサブフレーム１０４０中のスケジュールされたリソースブロックを指示するために使用される。たとえば、ＣＣＥ１０１１は、ＵＬサブフレーム１０４０中のリソースブロックＲＢ１  １０４１に対応し、ＣＣＥ１０２１は、ＵＬサブフレーム１０４０中のリソースブロックＲＢ２  １０４２に対応する。図１０に示す例では、リソースブロックＲＢ１０４１およびＲＢ１０４２は、ＵＬサブフレーム１０４０の２つのスロットにわたってミラーホッピングされる。
【００８０】
ＬＴＥ  Ｒｅｌ．８  ＴＤＤにおける第１の（バンドリング）ＡＣＫ／ＮＡＣＫモードでは、ＤＬサブフレーム１とＤＬサブフレーム２とに対応するＡＣＫ／ＮＡＣＫメッセージ１０４９は、１つのリソースブロック（たとえば、ＲＢ１  １０４１）中にバンドルされ、そのリソースブロック上でＵＬ制御チャネル（たとえば、ＰＵＣＣＨ）においてＵＥからｅＮＢに送信される。例として、ＡＣＫ／ＮＡＣＫバンドリングは、ＡＮＤ演算によって単一のＵＬサブフレームｎに関連するＭ個のＤＬサブフレームにわたってコードワードごとに実行される。
【００８１】
ＬＴＥ  Ｒｅｌ．８  ＴＤＤでは第２の（多重化）ＡＣＫ／ＮＡＣＫモードでは、ＤＬサブフレーム１に対応するＡＣＫ／ＮＡＣＫメッセージ１０４９の第１の部分は、第１のリソースブロック（たとえば、ＲＢ１  １０４１）上でＵＥからｅＮＢに送信され、第２のＤＬサブフレーム２に対応するＡＣＫ／ＮＡＣＫメッセージ１０４９の第２の部分は、第２のリソースブロック（たとえば、ＲＢ２  １０４２）上でＵＥからｅＮＢに送信される。たとえば、Ｍ＞１である場合、空間バンドリングは、ＡＮＤ演算によって各ＤＬサブフレーム中の複数のコードワードにわたって実行される。チャネル選択をもつＰＵＣＣＨフォーマット１ｂが、２ビットで送信されるＡＣＫ／ＮＡＣＫメッセージとともに使用され得る。一方、Ｍ＝１である場合、ただ１つのＤＬサブフレームが単一のＵＬサブフレームに関連付けられるので、空間バンドリングは実行されない。
【００８２】
以下は、様々なＡＣＫ／ＮＡＣＫモードおよび／または様々な数（Ｍ）のサブフレームの下でＰＵＣＣＨ割振りのために使用され得る例示的な式である。
【００８３】
Ａ．  ＡＣＫバンドリングまたはＭ＝１
【数４】
2013506386.tif 000006
【００８４】
ただし、ｍは、ＵＥがサブフレームｎ−ｋ＿ｍ中でＰＤＣＣＨを検出するような、Ｋ＝｛ｋ＿０，ｋ＿１，．．．，ｋ＿Ｍ−１｝のセット中の最も小さいｋ＿ｍのインデックスであり、ｎ＿ＣＣＥは、そのＰＤＣＣＨのための第１のＣＣＥの番号である。この方式では、Ｋにおける各ＤＬサブフレーム中の各ＣＣＥは異なるリソースにマッピングされる。
【００８５】
Ｂ．  ＡＣＫ多重化（Ｍ＞１）
各ｋ＿ｉについて、ＰＤＣＣＨがｎ−ｋ＿ｉにおいて送られるように、
ｎ(1)PUCCH,i＝（Ｍ−ｉ−１）×Ｎp＋ｉ×Ｎp+1＋ｎCCE,i＋Ｎ(1)PUCCH
この方式では、ＡＣＫをフィードバックするために使用され得る複数のリソースがあるので、チャネル選択が使用される。
【００８６】
本発明の一実施形態によれば、ｅＮＢは、単一のリソースを利用したシングルアンテナポートモードで、または複数のリソースを利用したＳＯＲＴＤモードで、ＡＣＫ／ＮＡＣＫを送信するようにＬＴＥ−Ａ  ＵＥを構成することができる。シングルアンテナポートモードでは、Ｒｅｌ−８動作と同様に、ＵＥは単一の直交リソース上でＡＣＫ／ＮＡＣＫを送信する。たとえば、送信アンテナ間に大量のアンテナ利得インバランス（ＡＧＩ：Antenna Gain Imbalance）が存在するとき、シングルアンテナポートモードの使用はＳＯＲＴＤモードの使用よりも優れている。
【００８７】
ＳＯＲＴＤモードでは、実際のシナリオと上位レイヤ構成とに応じて、ＵＥは、ＡＣＫ／ＮＡＣＫをフィードバックするために、（ＳＯＲＴＤモードを利用するために）複数のリソースを採用するかまたは（シングルアンテナポートモードの場合のように）単一のリソースを採用することができる。ＳＯＲＴＤモードでは、ＡＣＫ／ＮＡＣＫフィードバックのために利用可能な複数のＰＵＣＣＨリソースがあるとＵＥが決定した場合、ＵＥは、利用可能なリソースのセットから選択された２つの直交ＰＵＣＣＨリソースにわたってＳＯＲＴＤを適用する。そうではなく、複数のＰＵＣＣＨリソースが利用可能でないとＵＥが決定した場合、ＵＥは単に、ＡＣＫ／ＮＡＣＫ送信のためにシングルアンテナポートモードを採用する。
【００８８】
図１１Ａは、ｅＮＢの観点からのＳＯＲＴＤモードにおけるアップリンク（ＵＬ）制御チャネルリソース割振りのための例示的なプロセス１１００Ａを示すフローチャートである。いかなる形でも本開示の範囲を限定する意図なしに説明を簡単にするために、図１を参照しながらプロセス１１００Ａについて説明する。ＳＯＲＴＤモードのこの実施形態では、ｅＮＢは、たとえば、ＭＩＭＯ動作のために、ＵＥ１１０が複数のアンテナ１２４を有することを示す制御情報を、すでにＵＬ制御チャネル上でＵＥ１１０から受信していると仮定される。たとえば、ｅＮＢ１０２は、ＵＥ１１０がｅＮＢ１０２のネットワークまたはセルに入ったとき、すでにそのような指示をＵＥ１１０から受信していることがある。プロセス１１００Ａは、開始状態１１０１Ａから開始し、動作１１１０Ａに進み、ｅＮＢ１０２は、あらかじめ決められたアルゴリズムによって、ＵＬ制御チャネル上でＵＥ１１０が使用するためにＵＥ１１０が選択する複数の直交リソースを決定する。この点について、ＵＥ１１０は、このあらかじめ決められたアルゴリズムに従って、これらの複数の直交リソースを選択することになる。
【００８９】
プロセス１１００Ａは動作１１２０Ａに進み、ｅＮＢ１０２および／またはｅＮＢスケジューラ１０４は、ＵＬ制御チャネル上でＵＥ１１０が使用するために決定されたＵＥ１１０が選択する複数の直交リソースを考慮に入れながら、ｅＮＢ１０２によってサービスされるすべての他のＵＥが使用するためのリソースのスケジューリングを最適化する。
【００９０】
プロセス１１００Ａは動作１１３０Ａに進み、ｅＮＢ１０２は、送信ダイバーシティを用いて、選択された複数の直交リソース上のＵＬ制御チャネルで、ＡＣＫ／ＮＡＣＫフィードバックまたは他の制御情報などの制御情報をＵＥ１１０から受信する。プロセス１１００Ａは終了状態１１４０Ａにおいて終了する。
【００９１】
図１１Ｂは、ＵＥの観点からのＳＯＲＴＤモードにおけるアップリンク（ＵＬ）制御チャネルリソース割振りのための例示的なプロセス１１００Ｂを示すフローチャートである。いかなる形でも本開示の範囲を限定する意図なしに説明を簡単にするために、再び図１を参照しながらプロセス１１００Ｂについて説明する。プロセス１１００Ｂは、開始状態１１０１Ｂから開始し、動作１１１０Ｂに進み、ＵＥ１１０は、あらかじめ決められたアルゴリズムによって、ＵＬ制御チャネルのためにＵＥ１１０が使用する複数の直交リソースを選択する。プロセス１１００Ｂは動作１１２０Ｂに進み、ＵＥ１１０は、送信ダイバーシティを用いて、選択された複数の直交リソース上のＵＬ制御チャネルで、ＡＣＫ／ＮＡＣＫフィードバックまたは他の制御情報などの制御情報を送信する。プロセス１１００Ｂは終了状態１１３０Ｂにおいて終了する。
【００９２】
ＩＩ．  ＦＤＤにおけるＳＯＲＴＤ：ＡＣＫ／ＮＡＣＫ
次に、周波数分割複信（ＦＤＤ：frequency division duplex）動作におけるＳＯＲＴＤ  ＡＣＫ／ＮＡＣＫフィードバックのためのＵＬ制御チャネルリソース割振りの様々な例示的な実施形態について説明する。ＦＤＤ動作では、ＵＥのためのリソース割振りと他の制御情報とを含むダウンリンク制御情報（ＤＣＩ）が、単一のコンポーネント（ＤＬ）キャリアまたは複数のコンポーネント（ＤＬ）キャリア中の１つまたは複数のＣＣＥを使用して送信され得る。これらの二者択一的状況に対応する実施形態について以下で説明する。
【００９３】
Ａ．  単一のコンポーネントＤＬキャリア
単一のコンポーネントＤＬキャリアを使用するＦＤＤ動作では、対応するＤＣＩのアグリゲーション（aggregation）レベルが１よりも大きい（各ＤＬフレーム中に複数のＣＣＥがある）とき、ＤＣＩ中のＣＣＥにリンクされた複数のリソースが予約済みであり、ＳＯＲＴＤがそれらのうちの２つにわたって適用され得るので、ｅＮＢスケジューラ１０４（図１）は追加のリソース割振りを実行する必要がない。
【００９４】
しかしながら、対応するＤＣＩのアグリゲーションレベルが１に等しい（各ＤＬフレーム中に１つのＣＣＥがある）とき、ＵＬ制御チャネルにおいてＵＥ１１０が使用するリソースをスケジュールするためのいくつかの可能な手法が存在する。１つの手法では、ＵＥがセルエッジになく、シングルアンテナポートモードが十分に良好であるとき、ＵＥ１１０からｅＮＢ１０２へのＵＬ信号品質は十分強く、送信ダイバーシティを必要としないので、ＡＣＫ／ＮＡＣＫフィードバックのためにシングルアンテナポートモードが適用される。
【００９５】
別の手法では、インデックスｎ＿ｃｃｅ＋Ｘを有するＣＣＥにリンクされた第２のリソース１２２３が、ＡＣＫ／ＮＡＣＫのフィードバックのために他のＵＥが使用するためにスケジュールされないことをｅＮＢスケジューラが保証する、予め定められたアルゴリズムが使用される、図１２Ａによって示すＳＯＲＴＤスケジューリング方式が適用される。ここで、ｎ＿ｃｃｅは、対応するＤＣＩのための第１のＣＣＥのインデックスであり、第１のＣＣＥは、第１のリソース１２２１にリンクされており、Ｘは、上位レイヤ構成可能パラメータ（たとえば、正または負のいずれかであり得る０でない整数）である。図１２Ａの図示の例では、第２のリソースは、第１のリソースから３だけずれている（Ｘ＝３）。このようにして、ＵＥは、ＵＬ制御チャネル上で使用するための第２のリソースを選択するために、同じ予め定められたアルゴリズムを使用することができる。
【００９６】
さらに別の手法では、図１２Ｂによって示すサイクリックシフトに関係するＳＯＲＴＤスケジューリング方式が適用され、この方式では、Δ＿ＰＵＣＣＨ＿ｓｈｉｆｔ＞１であるとき、ＵＬ制御チャネル上でＵＥ１１０が使用するための第２のリソースが、スケジュールされたリソースのサイクリックシフト間隔よりも小さい、第１のリソースからの位置オフセットに基づいて、ＵＥ１１０によって選択され得る、例として、ｅＮＢ１０２はパラメータ「ｃｌｏｓｅｒ−ＣＳ−ｕｓａｂｌｅ」を真に設定し、次いで、ＳＯＲＴＤが、ｎ＿ｃｃｅにリンクされた第１のリソース（ｎ＿ｏｃ，ｎ＿ｃｓ）と、第１のリソースからＹだけずれた第２のリソース（ｎ＿ｏｃ，ｎ＿ｃｓ＋Ｙ）とにわたって適用され、ただし、Ｙは、ＵＬ制御チャネルのためのリソース間のサイクリックシフト間隔（Δ＿ＰＵＣＣＨ＿ｓｈｉｆｔ）よりも小さい。この方式の利点は、たとえば、他のＵＥが使用するためにｅＮＢによってスケジュールされたリソースのサイクリックシフト間隔の間にあるリソースを使用することによって、ＤＣＩがただ１つのみのＣＣＥを含むときでもＳＯＲＴＤが適用され得ることである。このようにして、ＵＥは、ＵＬ制御チャネル上で使用するための第２のリソースを選択するために、同じ予め定められたアルゴリズムを使用することができる。
【００９７】
図１３Ａは、ｅＮＢの観点からのＦＤＤ動作における単一のコンポーネントキャリアに対するＳＯＲＴＤ  ＡＣＫ／ＮＡＣＫフィードバックのための例示的なプロセス１３００Ａを示すフローチャートである。いかなる形でも本開示の範囲を限定する意図なしに説明を簡単にするために、図１を参照しながらプロセス１３００Ａについて説明する。ＳＯＲＴＤモードでは、ｅＮＢは、たとえば、ＭＩＭＯ動作のために、ＵＥ１１０が複数のアンテナ１２４を有することを示す制御情報を、すでに、ＵＬ制御チャネル上でＵＥ１１０から受信していると仮定される。たとえば、ｅＮＢ１０２は、ＵＥ１１０がｅＮＢ１０２のネットワークまたはセルに入ったとき、すでにそのような指示をＵＥ１１０から受信していることがある。プロセス１３００Ａは、開始状態１３０１Ａから開始し、動作１３１０Ａに進み、ｅＮＢ１０２は、あらかじめ決められたアルゴリズムによって、ＵＬ制御チャネル上でＵＥ１１０が使用するためにＵＥ１１０が選択する複数の直交リソースを決定する。特に、ｅＮＢ１０２は、図１２Ａに関して上記で説明したように、ＵＥ１１０が、第１のリソースと、第１のリソースから予め定められたオフセットだけずれた第２のリソースとを選択すると決定する。この点について、ＵＥ１１０は、このあらかじめ決められたアルゴリズムに従って、これらの複数の直交リソースを選択することになる。
【００９８】
図１２Ａの図示の例では、予め定められたオフセットは、正または負の０でない任意の整数であり得るＸである。図１２Ｂの図示の例では、予め定められたオフセットは、ＵＬ制御チャネルのためのリソース間のサイクリックシフト間隔（Δ＿ＰＵＣＣＨ＿ｓｈｉｆｔ）よりも小さいＹである。
【００９９】
プロセス１３００Ａは動作１３２０Ａに進み、ｅＮＢ１０２および／またはｅＮＢスケジューラ１０４は、ＵＬ制御チャネル上でＵＥ１１０が使用するためにＵＥ１１０が選択する決定された複数の直交リソースを考慮に入れながら、ｅＮＢ１０２によってサービスされる他のすべてのＵＥが使用するためのリソースのスケジューリングを最適化する。プロセス１３００Ａは動作１３３０Ａに進み、ｅＮＢ１０２は、送信ダイバーシティを用いて、選択された第１および第２の直交リソース上のＵＬ制御チャネルで、ＡＣＫ／ＮＡＣＫフィードバックまたは他の制御情報などの制御情報をＵＥ１１０から受信する。
【０１００】
図１３Ｂは、ＵＥの観点からのＦＤＤ動作における単一のコンポーネントキャリアに対するＳＯＲＴＤ  ＡＣＫ／ＮＡＣＫフィードバックのための例示的なプロセス１３００Ｂを示すフローチャートである。プロセス１３００Ｂは、開始状態１３０１Ｂから開始し、動作１３１０Ｂに進み、ＵＥ１１０は、ＤＬ制御チャネル（たとえば、ＰＤＣＣＨ）上で第１の制御チャネル要素（ＣＣＥ）を受信し、第１のＣＣＥは第１のリソースに対応する。プロセス１３００Ｂは、動作１３２０Ｂに進み、第１のリソースから予め定められたオフセットだけずれた第２のリソースを選択する。予め定められたオフセットは、図１２Ａおよび図１２Ｂにそれぞれ示した態様に関して上記で説明したようにＸまたはＹであり得る。プロセス１３００Ｂは動作１３３０Ｂに進み、ＵＥ１１０は、送信ダイバーシティを用いて、選択された第１および第２の直交リソース上のＵＬ制御チャネルで、ＡＣＫ／ＮＡＣＫフィードバックまたは他の制御情報などの制御情報を送信する。プロセス１３００Ｂは終了状態１３４０Ｂにおいて終了する。
【０１０１】
Ｂ．  複数のコンポーネントキャリア
いくつかのＦＤＤ実施形態では、ｅＮＢからＵＥへのＤＬデータ送信（たとえば、ＰＤＳＣＨ）は複数のＤＬキャリアにおいて行われる。たとえば、ＵＥへのＰＤＳＣＨが複数のＤＬキャリアにわたり、アップリンクにおいてＮｘＳＣ−ＦＤＭが可能にされるとき、ＤＬ／ＵＬキャリアマッピング（１つのＤＬ対１つのＵＬ、または複数のＤＬ対１つのＵＬ）に応じて、すべてのアクティブＤＬキャリアにわたるすべてのＰＤＳＣＨ送信に対する異なるＰＵＣＣＨ上での複数のＡＣＫ／ＮＡＣＫフィードバックが、（１つまたは複数の）異なるまたは同じＵＬキャリア内の異なる直交リソース上で同時に送信され得る。
【０１０２】
各ＤＬキャリア上でＰＤＳＣＨ送信に対する各ＡＣＫ／ＮＡＣＫフィードバックを送るために、ＳＯＲＴＤモードを採用すべきかまたはシングルアンテナモードを採用すべきかを決定するために、単一のコンポーネントキャリアの場合のためのルールが適用され得る。
【０１０３】
図１４Ａは、ｅＮＢの観点からのＦＤＤ動作における複数のコンポーネントキャリアに対するＳＯＲＴＤ  ＡＣＫ／ＮＡＣＫフィードバックのための例示的なプロセス１４００Ａを示すフローチャートである。いかなる形でも本開示の範囲を限定する意図なしに説明を簡単にするために、図１を参照しながらプロセス１４００Ａについて説明する。ＳＯＲＴＤモードのこの実施形態では、ｅＮＢは、たとえばＭＩＭＯ動作のために、ＵＥ１１０が複数のアンテナ１２４を有することを示す制御情報を、すでにＵＬ制御チャネル上でＵＥ１１０から受信していると仮定される。たとえば、ｅＮＢ１０２は、ＵＥ１１０がｅＮＢ１０２のネットワークまたはセルに入ったとき、すでにそのような指示をＵＥ１１０から受信していることがある。プロセス１４００Ａは、開始状態１４０１Ａから開始し、動作１４１０Ａに進み、ｅＮＢ１０２は、あらかじめ決められたアルゴリズムによって、ＵＬ制御チャネル上でＵＥ１１０が使用するためにＵＥ１１０が選択する複数の直交リソースを決定する。この点について、ＵＥ１１０は、このあらかじめ決められたアルゴリズムに従って、これらの複数の直交リソースを選択することになる。いくつかの例示的なリソース選択ルール／アルゴリズムについて、図１５および１７に関して以下で説明する。
【０１０４】
プロセス１４００Ａは動作１４２０Ａに進み、ｅＮＢ１０２および／またはｅＮＢスケジューラ１０４は、ＵＬ制御チャネル上でＵＥ１１０が使用するためにＵＥ１１０が選択する決定された複数の直交リソースを考慮に入れながら、ｅＮＢ１０２によってサービスされる他のすべてのＵＥが使用するためのリソースのスケジューリングを最適化する。
【０１０５】
プロセス１４００Ａは動作１４３０Ａに進み、ｅＮＢ１０２は、送信ダイバーシティを用いて、選択された複数の直交リソース上のＵＬ制御チャネルで、ＡＣＫ／ＮＡＣＫフィードバックまたは他の制御情報などの制御情報をＵＥ１１０から受信する。プロセス１４００Ａは終了状態１４４０Ａにおいて終了する。
【０１０６】
図１４Ｂは、ＵＥの観点からのＦＤＤ動作における複数のコンポーネントキャリアに対するＳＯＲＴＤ  ＡＣＫ／ＮＡＣＫフィードバックのための例示的なプロセス１４００Ｂを示すフローチャートである。プロセス１４００Ｂは、開始状態１４０１Ｂから開始し、動作１４１０Ｂに進み、ＵＥ１１０は、あらかじめ決められたアルゴリズムによって、ＵＬ制御チャネルのためにＵＥ１１０が使用する複数の直交リソースを選択する。
【０１０７】
プロセス１４００Ｂは動作１４２０Ｂに進み、ＵＥ１１０は、送信ダイバーシティを用いて、選択された複数の直交リソース上のＵＬ制御チャネルで、ＡＣＫ／ＮＡＣＫフィードバックまたは他の制御情報などの制御情報を送信する。
【０１０８】
次いで、プロセス１４００Ｂは、終了状態１４３０Ｂに進み、終了する。
【０１０９】
１．  複数のＤＬコンポーネントキャリア：１対１のマッピング構成
ＤＬデータ（たとえば、ＰＤＳＣＨ）送信が複数のＤＬキャリアにわたって行われる場合、ただ１つのＤＬキャリアが、１対１のマッピング構成における各ＵＬキャリアに関連付けられる。例として、ＤＬキャリアｋ上のＰＤＳＣＨが、ＤＬキャリアｋ上のＰＤＣＣＨによってスケジュールされ、ＤＬキャリアｋ上のＰＤＳＣＨ送信に対するＡＣＫ／ＮＡＣＫが、ＵＬキャリアｋにおけるＰＵＣＣＨ上で送られる。
【０１１０】
図１５は、ＦＤＤ動作における複数のＤＬコンポーネントキャリアに対するＳＯＲＴＤ  ＡＣＫ／ＮＡＣＫフィードバックのための１対１の（ＤＬ／ＵＬ）マッピング構成を示す図１５００である。ＤＬ送信１５０１、１５０２、１５０３は、それぞれ、ｅＮＢからＵＥへ、ＣＣＥ１５１１、１５２１、１５３１中のダウンリンク制御情報（ＤＣＩ）とともにＤＬキャリア１５１０、１５２０、１５３０上で行われる。このシナリオでは、ＤＬ送信１５０１、１５０２、１５０３に対応するＡＣＫ／ＮＡＣＫメッセージ１５４９、１５５９、１５６９が、３つの対応するＵＬキャリア１５４０、１５５０、１５６０上のＵＬ制御チャネル（たとえば、ＰＵＣＣＨ）でＵＥからｅＮＢに送信される。３つのＵＬキャリア１５４０、１５５０、１５６０の各々は、対応する利用可能なリソースブロック、すなわち、ＲＢ１  １５４１、ＲＢ２  １５５１およびＲＢ３  １５６１を含む。図１５の例では、リソースブロックＲＢ１  １５４１、ＲＢ２  １５５１およびＲＢ３  １５６１は、それぞれ、ＵＬキャリア１５４０、１５５０、１５６０の各々内で２つのタイムスロットにわたってミラーホッピングされる。図示の例では、２つのリソース、すなわち、ＵＬキャリア１５４０および１５５０中のＲＢ１  １５４１およびＲＢ２  １５５１は、それぞれ、対応するＵＬキャリア１  １５４０、ＵＬキャリア２  １５５０およびＵＬキャリア３  １５６０の各々のＵＬ経路損失path loss（ＰＬ１、ＰＬ２、ＰＬ３）の相対量に基づいて、３つの利用可能なリソースＲＢ１  １５４１、ＲＢ２  １５５１およびＲＢ３  １５６１の中から選択される。図示の例では、経路損失ＰＬ３がＰＬ１およびＰＬ２の経路損失よりも大きいので、ＲＢ３  １５６１は選定されない。ＤＬキャリア１に対するＡＣＫメッセージ１５４９はＲＢ１  １５４１上で送信されるが、ＤＬキャリア２に対するＡＣＫメッセージ１５５９はＲＢ２  １５５１上で送信される。ＤＬキャリア３に対するＡＣＫメッセージ１５６９は、ＲＢ１  １５４１またはＲＢ２  １５５１のいずれかにおける送信に対してバンドルされる。このようにして、バンドルされたＡＣＫ／ＮＡＣＫメッセージは、最も強いキャリア上で送られる。
【０１１１】
次に、１対１の構成におけるＳＯＲＴＤ  ＦＤＤ／ＡＣＫのためのさらなる例示的なリソース選択ルールについて説明する。ＵＥが、Ｍ個のリソースを必要とする送信方式を採用することを決定すると仮定する。これらのＭ個のリソースは、最小のアップリンク（ＵＬ）経路損失(path loss)を有するＵＬキャリアのセット中に存在するように選択され得る。このルールはまた、シングルアンテナポートモードで構成されたＵＥに適用され得る。たとえば、｛ＰＬ１，ＰＬ２，ＰＬ３｝を、ＰＤＳＣＨ送信が昇順で行われる３つのアクティブＤＬキャリアの各々の逆方向リンク（ＵＬ）経路損失とし、｛ｋ１，ｋ２，ｋ３｝を対応するアクティブＤＬキャリアインデックスとする。さらに、Ｒｅｓｏｕｒｃｅ＿ｑが、ＵＬキャリアｑにおけるＡＣＫ／ＮＡＣＫフィードバックのために利用可能なリソースのセットを示すものとし、ただし、ｑは｛ｋ１，ｋ２，ｋ３｝にある。その場合、必要とされるＭ個のリソースは、すべてのＭ個のリソースを取得するまで、（最小経路損失の順に）Ｒｅｓｏｕｒｃｅ＿ｋ１→Ｒｅｓｏｕｒｃｅ＿ｋ２→Ｒｅｓｏｕｒｃｅ＿ｋ３の順序で、利用可能なリソースＲｅｓｏｕｒｃｅ＿ｑのセットからリソースを得ることによって選択され得る。
【０１１２】
ＳＣ−ＦＤＭ（シングルキャリア符号化周波数分割多重：Single Carrier Coding Frequency Division Multiplex）が必要とされるとき、図１０に関して上記で説明した、複数のキャリアにわたるＡＣＫバンドリング、またはＲｅｌ−８  ＴＤＤ動作と同様のＡＣＫ多重化が採用され得る。ＡＣＫバンドリングについて、｛ＰＬ１，ＰＬ２，．．．｝を、昇順における（たとえば、ＰＤＳＣＨを送信するための）各アクティブＤＬキャリアのＵＬ経路損失とし、｛ｋ１，ｋ２，．．．｝を、対応するアクティブＤＬキャリアインデックスとする。キャリアｋ１上のＰＤＳＣＨのためのＤＣＩ中のＣＣＥの数が１よりも大きい場合、キャリアｋ１上のＤＣＩによって占有された２つのＣＣＥにリンクされた２つの直交リソースにわたってＳＯＲＴＤが適用される。
【０１１３】
キャリアｋ１上でＤＣＩのためにただ１つのＣＣＥが使用され、単一のコンポーネントキャリア構成のための図１２Ａおよび図１２Ｂに関して上記で説明した手法が可能にされる場合、キャリアｋ１上で２つのリソースにわたってＳＯＲＴＤが適用され得る。そうではなく、ＰＬ２とＰＬ１との間の差がしきい値ＰＬよりも小さい場合（ＰＬ２−ＰＬ１＜ＰＬ＿Ｔｈｒ）、２つの直交リソース、すなわち、キャリアｋ１上のＤＣＩ中の第１のＣＣＥにリンクされたキャリアｋ１からの１つの直交リソースと、キャリアｋ２上のＤＣＩ中の第１のＣＣＥにリンクされたキャリアｋ２からの１つの直交リソースとにわたって、ＳＯＲＴＤが適用され得る。一実施形態では、ＰＬ＿Ｔｈｒは上位レイヤ構成パラメータである。そうではなく、ＰＬ２−ＰＬ１≧ＰＬ＿Ｔｈｒである場合、シングルアンテナポートモードが適用され、ＰＵＣＣＨがキャリアｋ１から送られる。
【０１１４】
ＳＣ−ＦＤＭが必要とされるとき、チャネル選択をもつＡＣＫ／ＮＡＣＫ多重化が採用され得る。この手法では、チャネル選択が行われた後にＰＵＣＣＨがキャリアｋｊ上で送られることになると仮定される。その場合、ＳＯＲＴＤを適用するか否かを決定するために、ＤＬキャリアｋｊに、上記で説明した「単一のコンポーネントキャリア」モードのためのルールが適用され得る。
【０１１５】
図１６Ａは、ｅＮＢの観点からのＦＤＤ動作における１対１の（ＤＬ／ＵＬ）マッピング構成での複数のＤＬコンポーネントキャリアに対するＳＯＲＴＤ  ＡＣＫ／ＮＡＣＫフィードバックのための例示的なプロセス１６００Ａを示すフローチャートである。いかなる形でも本開示の範囲を限定する意図なしに説明を簡単にするために、図１を参照しながらプロセス１６００Ａについて説明する。
【０１１６】
プロセス１６００Ａは、開始状態１６０１Ａから開始し、動作１６１０Ａに進み、ｅＮＢ１０２および／またはｅＮＢスケジューラ１０４は、Ｎ個の利用可能なリソースのうちのＭ個のＵＬキャリアの中でＭ個の直交リソースのセットを決定する。Ｍ個の直交リソースのセットは、同じアルゴリズムを使用してＵＥ１１０によって選択されることになるリソースである。図１５の図示の例では、Ｎ＝３、およびＭ＝２であり、リソース選択は、３つのアクティブＵＬキャリア１５４０、１５５０、１５６０の各々に関連するＵＬ経路損失に基づく。
【０１１７】
プロセス１６００Ａは動作１６２０Ａに進み、ｅＮＢ１０２および／またはｅＮＢスケジューラ１０４は、ＵＬ制御チャネル上でＵＥ１１０が使用するためにＵＥ１１０が選択するＭ個の直交リソースの決定されたセットを考慮に入れながら、ｅＮＢ１０２によってサービスされるすべての他のＵＥが使用するためのリソースのスケジューリングを最適化する。
【０１１８】
プロセス１６００Ａは動作１６３０Ａに進み、ｅＮＢ１０２は、送信ダイバーシティを用いて、Ｍ個の直交リソースの選択されたセット上のＭ個のＵＬキャリアを介して、ＵＬ制御チャネル（たとえば、ＰＵＣＣＨ）で、ＵＥ１１０からＡＣＫ／ＮＡＣＫフィードバックを受信する。プロセス１６００Ａは終了状態１６４０Ａにおいて終了する。
【０１１９】
図１６Ｂは、ＵＥの観点からのＦＤＤ動作における１対１の（ＤＬ／ＵＬ）マッピング構成でのＳＯＲＴＤ  ＡＣＫ／ＮＡＣＫフィードバックのための例示的なプロセス１６００Ｂを示すフローチャートである。プロセス１６００Ｂは、開始状態１６０１Ｂから開始し、動作１６１０Ｂに進み、ＵＥ１１０は、Ｍ個のＵＬキャリア上でＵＬ制御チャネル上で使用するためのＭ個の直交リソースのセットを選択する。Ｍ個の直交キャリアは、すべてのアクティブＵＬキャリア中の複数のＮ個の利用可能なリソースの各々に関連するそれぞれのＵＬ経路損失に基づいて選択される。プロセス１６００Ｂは動作１６２０Ｂに進み、ＵＥ１１０は、送信ダイバーシティを用いて、Ｍ個の直交リソースのセット上のＵＬ制御チャネルで、ＡＣＫ／ＮＡＣＫを送信する。プロセス１６００Ｂは終了状態１６３０Ｂにおいて終了する。
【０１２０】
２．  多対１のマッピング構成
ＤＬデータ送信が複数のＤＬキャリアにわたって行われる場合、多対１のマッピング構成で１つのＵＬキャリアが複数のＤＬキャリアに関連付けられ得る。非対称的なＤＬ／ＵＬ構成が存在するとき、またはクロスキャリア制御動作が実行されるときに、そのような多対１のマッピング構成は利用され得る。多対１のマッピング構成では、複数のＤＬキャリア上でのＰＤＳＣＨ送信に対するＡＣＫ／ＮＡＣＫフィードバックは、単一のＵＬキャリア上で送られる。
【０１２１】
図１７は、ＦＤＤ動作における複数のＤＬコンポーネントキャリアにおけるＳＯＲＴＤ  ＡＣＫ／ＮＡＣＫフィードバックのための多対１の（ＤＬ／ＵＬ）マッピング構成を示す図１７００である。ＤＬデータ送信１７０１、１７０２および１７０３は、それぞれ、ｅＮＢからＵＥへ、ＣＣＥ１７１１、１７２１および１７３１上のダウンリンク制御情報（ＤＣＩ）とともにＤＬキャリア１７１０、１７２０および１７３０上で行われる。それに応答して、ＤＬデータ送信１７０１、１７０２、１７０３に対応するＡＣＫメッセージ１７４９が、単一のＵＬキャリア１７４０上でＵＬ制御チャネル（たとえば、ＰＵＣＣＨ）においてＵＥからｅＮＢに送信される。単一のＵＬキャリア１７４０は、３つの利用可能なリソース、すなわち、ＲＢ１  １７４１、ＲＢ２  １７４２、およびＲＢ３  １７４３を含む。図１７に示すように、リソースＲＢ１  １７４１、ＲＢ２  １７４２、およびＲＢ３  １７４３は、ＵＬキャリア１７４０の２つのスロットにわたってミラーホッピングされる（スロット境界周波数ホッピング）。図示の例では、単一のＵＬキャリア１７４０の２つのリソース、すなわち、ＲＢ１  １７４１およびＲＢ３  １７４３が、単一のＵＬキャリア１７４０の帯域幅１７４７の端（エッジ）に対する利用可能なリソースの各々の近接度に基づいて、３つの利用可能なリソースの中から選択される。選択されたリソースＲＢ１  １７４１およびＲＢ３  １７４３の各々は、残りの（選択されなかった）ＲＢ２  １７４２に比較して、それぞれ帯域幅の下端および上端に最も近い。このようにして、バンドルされたＡＣＫ／ＮＡＣＫメッセージがエッジＲＢ上で送られ、ＵＬキャリア１７４０におけるアップリンクデータのためのリソースブロックのスケジューリング中の潜在的なフラグメンテーション問題が回避または最小化され得る。
【０１２２】
次に、多対１の（ＤＬ／ＵＬ）構成におけるＳＯＲＴＤ  ＦＤＤ／ＡＣＫフィードバックのための例示的なリソース選択ルールについてさらに説明する。ＵＥが、Ｍ個のリソースを必要とする送信方式を採用することを決定すると仮定する。これらのＭ個のリソースは、マッピングされたＰＵＣＣＨリソースが、ＡＣＫ／ＮＡＣＫフィードバックが行われる単一のＵＬキャリアの帯域幅の一方または両方の端に最も近い物理ＲＢ中に存在するように選定され得る。このルールはまた、シングルアンテナポートモードで構成されたＵＥに適用され得る。
【０１２３】
シングルキャリア周波数分割多重（ＳＣ−ＦＤＭ）波形が保持されるべきとき、図１０に関して上記で説明した、キャリアにわたるＡＣＫバンドリング、またはＲｅｌ−８  ＴＤＤ動作と同様のチャネル選択をもつＡＣＫ多重化が使用され得る。たとえば、｛ｎ＿ｃｃｅ１＿１，ｎ＿ｃｃｅ２＿１，ｎ＿ｃｃｅ３＿１．．．｝を、アクティブＤＬキャリア上でのＰＤＳＣＨ送信のためのＤＣＩ中の第１のＣＣＥのインデックスのセットとし、｛ｋ１，ｋ２，．．．｝が、ＤＬアクティブキャリアの対応するセットを示すものとする。
【０１２４】
ＳＣ−ＦＤＭシナリオにおけるＡＣＫバンドリングの場合、ＳＯＲＴＤが、以下の和集合から選択された２つの直交リソースにわたって適用される。
【０１２５】
｛キャリアｋ１上でのＰＤＳＣＨへのＡＣＫ／ＮＡＣＫフィードバックのために利用可能なリソース｝＋
｛キャリアｋ２上でのＰＤＳＣＨへのＡＣＫ／ＮＡＣＫフィードバックのために利用可能なリソース｝＋
．．．
｛キャリアｋL上でのＰＤＳＣＨへのＡＣＫ／ＮＡＣＫフィードバックのために利用可能なリソース｝
ただし、Ｌはアクティブキャリアの総数である。さらに、得られたリンクされたＰＵＣＣＨリソースが、最も低い物理リソースブロックインデックスにマッピングされるように、すべての利用可能なリソースから２つのリソースが選択され得る。
【０１２６】
ＳＣ−ＦＤＭシナリオにおけるチャネル選択をもつＡＣＫ多重化の場合、ＣＣＥ｛ｎ＿ｃｃｅ１＿１，ｎ＿ｃｃｅ２＿１，．．．｝にリンクされたリソースにわたるチャネル選択が行われており、ｎ＿ｃｃｅｊ＿１（ＤＬキャリアｋｊ上のＰＤＳＣＨのためのＤＣＩによって占有された第１のＣＣＥ）に対応するＣＣＥにリンクされたリソースが、ＰＵＣＣＨ送信のために選択されると仮定する。ＤＬキャリアｋｊ上のＰＤＳＣＨのためのＤＣＩが複数のＣＣＥを占有するとき、ＤＬキャリアｋｊ上のＰＤＳＣＨのためのＤＣＩにおける、インデックスｎ＿ｃｃｅｊ＿１を有する第１のＣＣＥ、およびインデックスｎ＿ｃｃｅｊ＿１＋１を有する第２のＣＣＥにリンクされたリソースにわたってＳＯＲＴＤが適用される。そうでなれければ、（単一のコンポーネントキャリア動作のための図１２Ａおよび図１３Ｂに関して上記で説明した手法と同様の手法が採用されるのでなければ）シングルアンテナポートモードが適用される。
【０１２７】
図１８Ａは、ｅＮＢの観点からのＦＤＤ動作における多対１の（ＤＬ／ＵＬ）マッピング構成でのＳＯＲＴＤ  ＡＣＫ／ＮＡＣＫフィードバックのための例示的なプロセス１８００Ａを示すフローチャートである。いかなる形でも本開示の範囲を限定する意図なしに説明を簡単にするために、図１を参照しながらプロセス１８００Ａについて説明する。
【０１２８】
プロセス１８００Ａは動作１８１０Ａに進み、ｅＮＢ１０２および／またはｅＮＢスケジューラ１０４は、Ｎ個の利用可能なリソースのうち、単一のＵＬキャリアの中でＵＥが選択するＭ個の直交リソースのセットを決定し、リソース選択は、単一のＵＬキャリアの帯域幅の端（エッジ）に対するＮ個の利用可能なリソースの各々の近接度に基づく。図１７の図示の例では、Ｎ＝３、Ｍ＝２であり、リソース選択は、単一のＵＬキャリア１７４０の帯域幅１７４７の端（エッジ）に対する利用可能なリソースの各々の近接度に基づく。
【０１２９】
プロセス１８００Ａは動作１８２０Ａに進み、ｅＮＢ１０２および／またはｅＮＢスケジューラ１０４は、ＵＬ制御チャネル上でＵＥ１１０が使用するためにＵＥ１１０が選択するＭ個の直交リソースの決定されたセットを考慮に入れながら、ｅＮＢ１０２によってサービスされるすべての他のＵＥが使用するためのリソースのスケジューリングを最適化する。プロセス１８００Ａは動作１８３０Ａに進み、ｅＮＢ１０２は、送信ダイバーシティを用いて、Ｍ個の直交リソースの選択されたセット上で、単一のＵＬキャリアを介して、単一のＵＬ制御チャネル（たとえば、ＰＵＣＣＨ）で、ＡＣＫ／ＮＡＣＫフィードバックを受信する。プロセス１８００Ａは終了状態１８４０Ａにおいて終了する。
【０１３０】
図１８Ｂは、ＵＥの観点からのＦＤＤ動作における多対１の（ＤＬ／ＵＬ）マッピング構成でのＡＣＫ／ＮＡＣＫフィードバックのための例示的なプロセス１８００Ｂを示すフローチャートである。いかなる形でも本開示の範囲を限定する意図なしに説明を簡単にするために、再び図１を参照しながらプロセス１８００Ｂについて説明する。
【０１３１】
プロセス１８００Ｂは動作１８１０Ｂに進み、ＵＥ１１０は、ＵＬ制御チャネル上でＵＥ１１０が使用するためのＭ個の直交リソースのセットを選択する。Ｍ個の直交キャリアは、単一のＵＬキャリアの帯域幅の端（エッジ）に対する利用可能なリソースの各々の近接度に基づいて選択される。プロセス１８００Ｂは動作１８２０Ｂに進み、ＵＥ１１０は、送信ダイバーシティを用いて、Ｍ個の直交リソースのセット上で、単一のＵＬキャリアを介して、ＵＬ制御チャネルで、ＡＣＫ／ＮＡＣＫ制御情報を送信する。プロセス１８００Ｂは終了状態１８３０Ｂにおいて終了する。
【０１３２】
ＩＩＩ．  ＴＤＤにおけるＳＯＲＴＤ：ＡＣＫ／ＮＡＣＫ
次に、時分割複信（ＴＤＤ）動作において動作するＬＴＥのＳＯＲＴＤ  ＡＣＫ／ＮＡＣＫフィードバックのためのＵＬ制御チャネルリソース割振りの様々な例示的な実施形態について説明する。ＴＤＤ動作では、ＵＥのためのリソース割振りと他の制御情報とを含むダウンリンク制御情報（ＤＣＩ）が、複数のＤＬサブフレーム中の１つまたは複数の制御チャネル要素（ＣＣＥ）を使用してＤＬデータチャネル（たとえば、データとともにＰＤＳＣＨ）上で送信され得る。
【０１３３】
図１９に、ＴＤＤ動作における複数のＤＬサブフレーム上でのダウンリンク（ＤＬ）データ送信に関連するＳＯＲＴＤ  ＡＣＫ／ＮＡＣＫフィードバックのための図１９００を与える。ＤＬデータ送信１９０１、１９０２は、それぞれ、ｅＮＢからＵＥへ、ＣＣＥ１９１１および１９２１中のダウンリンク制御情報（ＤＣＩ）とともにＤＬサブフレーム１９１０、１９２０上で行われる。ＤＬサブフレーム１９１０、１９２０上でのＤＬデータ送信１９０１、１９０２に対応するＡＣＫメッセージ１９４９が、単一のＵＬサブフレーム１９４０上でＵＬ制御チャネル（たとえば、ＰＵＣＣＨ）においてＵＥからｅＮＢに送信される。単一のＵＬサブフレーム１９４０は、ＵＬサブフレーム１９４０の両方のスロットにわたってミラーホッピングされるものとして図１９に示されているＲＢ１  １９４１およびＲＢ２  １９４２を含む利用可能なリソースを含む。図示の例では、単一のＵＬサブフレーム１９４０に関連する帯域幅１９４７の端（エッジ）に対する利用可能なリソースの各々の近接度に基づいて、これらの２つのリソースＲＢ１  １９４１およびＲＢ２  １９４２が選択される。リソースＲＢ１  １９４１およびＲＢ２  １９４２の選択されたセットは、他のリソースに比較して帯域幅１９４７の端（エッジ）に最も近い。このようにして、バンドルされたＡＣＫ／ＮＡＣＫメッセージが近端ＲＢ上で送られ、アップリンクデータのためのリソースをスケジュールするときの潜在的なフラグメンテーション問題が回避または最小化され得る。
【０１３４】
次に、ＴＤＤ動作のＳＯＲＴＤ  ＡＣＫ／ＮＡＣＫのための例示的なリソース選択ルールについて説明する。ＵＥが、Ｍ個のリソースを必要とする送信方式を採用することを決定すると仮定する。これらのＭ個のリソースは、マッピングされたＰＵＣＣＨリソースが、帯域幅の端に最も近い物理ＲＢ中に存在するように選定され得る。このルールはまた、シングルアンテナポートモードで構成されたＵＥに適用され得る。
【０１３５】
ＮｘＳＣ−ＦＤＭが可能にされるとき、サブフレーム｛ｎ−ｑ＿０，ｎ−ｑ＿１，．．．｝中のそれらの検出されたＰＤＣＣＨに対応する複数のＡＣＫ／ＮＡＣＫフィードバックが、異なるＰＵＣＣＨリソース上で同時に送信され得る。ここで、｛ｑ＿０，ｑ＿１，．．．｝は、対応するＤＬ関連セットである｛ｋ＿０，．．．，ｋ＿Ｍ−１｝のサブセットである。サブフレームｎ−ｑ＿ｊ中の各検出されたＰＤＣＣＨには、以下のルールが適用され得る。
【０１３６】
・対応するＤＣＩによって占有されたＣＣＥの数が１つのみである場合、（単一のコンポーネントキャリア動作のための図１２Ａおよび図１２Ｂに関して上記で説明した手法と同様の手法が採用されるのでなければ）シングルアンテナポートモード動作が適用される。
【０１３７】
・対応するＤＣＩによって占有されたＣＣＥの数が２以上であり、｛ｎ＿ｃｃｅｊ，ｎ＿ｃｃｅｊ＋１，．．．｝がＣＣＥのセットを示す場合、サブフレームｎ−ｑ＿ｊ中のＣＣＥ  ｎ＿ｃｃｅｊおよびＣＣＥ  ｎ＿ｃｃｅｊ＋１にリンクされたＰＵＣＣＨリソースにわたってＳＯＲＴＤが適用される。
【０１３８】
シングルキャリア周波数分割多重（ＳＣ−ＦＤＭ）波形が保持されるべきとき、図１０に関して上記で説明した、キャリアにわたるＡＣＫバンドリング、またはＲｅｌ−８  ＴＤＤ動作と同様のチャネル選択をもつＡＣＫ多重化が使用され得る。そのような状況におけるＡＣＫバンドリングでは、複数のＣＣＥが、サブフレーム｛ｎ−ｑ＿０，ｎ−ｑ＿１，．．．｝におけるＰＤＳＣＨ送信のためのＤＣＩによって占有される場合（｛ｑ＿０，ｑ＿１，．．．｝は、対応するＤＬ関連セットである｛ｋ＿０，．．．，ｋ＿Ｍ−１｝のサブセットである）、｛サブフレームｎ−ｑ＿０におけるＰＤＳＣＨのためのＤＣＩ中のＣＣＥ｝＋｛サブフレームｎ−ｑ＿１におけるＰＤＳＣＨのためのＤＣＩ中のＣＣＥ｝＋．．．などを備える、すべての占有されたＣＣＥのセット中の２つのＣＣＥにリンクされた２つの直交リソースにわたってＳＯＲＴＤが適用され得る。これらの２つの選択されるＣＣＥは、得られたリンクされたＰＵＣＣＨリソースが、ＵＬ帯域幅の端（エッジ）に最も近い物理ＲＢにマッピングされるように選択され得る。そうでない場合、ＦＤＤの「単一のコンポーネントキャリア」モードのための図１２Ａおよび図１２Ｂに関して上記で説明した手法と同様の手法が使用のために採用されるのでなければ、バンドルされたＡＣＫ／ＮＡＣＫを送るためにシングルアンテナポートモードが適用される。
【０１３９】
チャネル選択をもつＡＣＫ多重化では、｛ｎ＿ｃｃｅ１，ｎ＿ｃｃｅ２，．．．｝にわたるチャネル選択が行われ（ここで、ｎ＿ｃｃｅｊが、サブフレームｎ−ｑ＿ｊにおけるＰＤＳＣＨのためのＤＣＩ中の第１のＣＣＥインデックスを示す）、したがって、サブフレームｎ−ｑ＿ｊ中のＣＣＥ  ｎ＿ｃｃｅｊにリンクされたリソースが、ＰＵＣＣＨ送信のために選択されると仮定される。サブフレームｎ−ｑ＿ｊにおけるＰＤＳＣＨのためのＤＣＩが複数のＣＣＥを占有するとき、ＤＬサブフレームｎ−ｑ＿ｊ中のＣＣＥ  ｎ＿ｃｃｅｊおよびＣＣＥ  ｎ＿ｃｃｅｊ＋１にリンクされたリソースにわたってＳＯＲＴＤが適用される。そうでない場合、ＦＤＤの「単一のコンポーネントキャリア」モードのための図１２Ａおよび図１２Ｂに関して上記で説明した手法と同様の手法が使用のために採用されるのでなければ、シングルアンテナポートモードが適用される。
【０１４０】
図２０Ａは、ｅＮＢの観点からのＴＤＤ動作におけるＳＯＲＴＤ  ＡＣＫ／ＮＡＣＫフィードバックのための例示的なプロセス２０００Ａを示すフローチャートである。いかなる形でも本開示の範囲を限定する意図なしに説明を簡単にするために、図１を参照しながらプロセス２０００Ａについて説明する。
【０１４１】
プロセス２０００Ａは動作２０１０Ａに進み、ｅＮＢ１０２および／またはｅＮＢスケジューラ１０４は、単一のＵＬサブフレームにおいて配信されるＮ個の利用可能なリソースのうちの単一のＵＬサブフレームの中でＵＥが選択するＭ個の直交リソースのセットを決定する。ここでリソース選択は、単一のＵＬサブフレームの帯域幅の端（エッジ）に対するＮ個の利用可能なリソースの各々の近接度に基づく。図１９の図示の例では、Ｎ＝２、Ｍ＝２であり、リソース選択は、単一のＵＬサブフレーム１９４０に関連する帯域幅１９４７の端（エッジ）に対する利用可能なリソースの近接度に基づく。図１９に示す例では、リソースＲＢ１  １９４１およびＲＢ２  １９４２が選択される。
【０１４２】
プロセス２０００Ａは動作２０２０Ａに進み、ｅＮＢ１０２および／またはｅＮＢスケジューラ１０４は、ＵＬ制御チャネル上でＵＥ１１０が使用するためにＵＥ１１０が選択するＭ個の直交リソースの決定されたセットを考慮に入れながら、ｅＮＢ１０２によってサービスされるすべての他のＵＥが使用するためのリソースのスケジューリングを最適化する。
【０１４３】
プロセス２０００Ａは動作２０３０Ａに進み、ｅＮＢ１０２は、送信ダイバーシティを用いて、Ｍ個の直交リソースの選択されたセット上で、単一のＵＬサブフレームを介して、単一のＵＬ制御チャネル（たとえば、ＰＵＣＣＨ）で、ＵＥ１１０からＡＣＫ／ＮＡＣＫフィードバックを受信する。プロセス２０００Ａは終了状態２０４０Ａにおいて終了する。
【０１４４】
図２０Ｂは、ＵＥの観点からのＴＤＤ動作におけるＳＯＲＴＤ  ＡＣＫ／ＮＡＣＫフィードバックのための例示的なプロセス２０００Ｂを示すフローチャートである。プロセス２０００Ｂは、開始状態２００１Ｂから開始し、動作２０１０Ｂに進み、ＵＥ１１０は、ＵＬ制御チャネル上でＵＥ１１０が使用するためのＭ個の直交リソースのセットを選択する。Ｍ個の直交キャリアは、ＡＣＫ／ＮＡＣＫフィードバックのためにＵＥ１１０によって使用されるべき単一のＵＬサブフレームに関連する帯域幅の端（エッジ）に対する利用可能なリソースの各々の近接度に基づいて選択される。プロセス２０００Ｂは動作２０２０Ｂに進み、ＵＥ１１０は、送信ダイバーシティを用いて、Ｍ個の直交リソースのセット上で、単一のＵＬサブフレームを介して、ＵＬ制御チャネルで、ＡＣＫ／ＮＡＣＫを送信する。プロセス２０００Ｂは終了状態２０３０Ｂにおいて終了する。
【０１４５】
ＩＶ．  ＳＰＳ  ＡＣＫ／ＮＡＣＫ、ＳＲ、ＣＱＩ
次に、半永続的スケジューリング（ＳＰＳ：semi-persistent scheduling）ＡＣＫ／ＮＡＣＫと、スケジューリング要求（ＳＲ）と、チャネル品質インジケータ（ＣＱＩ）とのための様々なＳＯＲＴＤ  ＵＬ制御チャネル（たとえば、ＰＵＣＣＨ）リソース割振り方式について説明する。
【０１４６】
Ａ．  ＳＰＳ  ＡＣＫ／ＮＡＣＫ
動的スケジューリングは、バースト的で、まれにしか起こらず、帯域幅を消費するデータ送信（たとえば、ウェブサーフィン、ビデオストリーミング、電子メール）には有利であるが、ボイス呼コール（voice call）などのリアルタイムストリーミング適用例にはあまり適さない。ここでは、データは、短バーストだが一定の間隔で送られる。ボイス呼の場合のように、ストリームのデータレートが極めて低い場合、スケジューリングメッセージごとにほとんどデータが送られないので、スケジューリングメッセージのオーバーヘッドは極めて高い。
【０１４７】
そのような低データレートストリーミングの場合では、半永続的スケジューリング（ＳＰＳ）が使用され得る。各アップリンクまたはダウンリンク送信を動的にスケジュールする代わりに、半永続的送信パターンが定義される。これは、制御チャネルにおけるスケジューリング割当てオーバーヘッドを著しく減少させる。
【０１４８】
無音期間中に、ワイヤレスボイスコーデックは、ボイスデータの送信を停止し、はるかに長い時間間隔を間に挟んで無音記述情報のみを送る。それらの無音時間中に、ＳＰＳはオフに切り替えられ得る。アップリンクでは、ネットワーク設定数の空のアップリンク送信機会の間、データが送られない場合、ＳＰＳは暗黙的に取り消される。ダウンリンク方向では、ＳＰＳは、無線休止制御（ＲＲＣ：radio recess control）メッセージとともに取り消され得る。ネットワークは、ＱＣＩと専用ベアラとに基づいて、いつどのパケットにＳＰＳを使用すべきかを決定することができる。
【０１４９】
次に、ＳＰＳ  ＡＣＫ／ＮＡＣＫのための例示的なＰＵＣＣＨリソーススケジューリング方式について説明する。Ｒｅｌ−８  ＵＥの場合、利用可能なＰＵＣＣＨリソースのセットが上位レイヤによって設定され、ＡＣＫ／ＮＡＣＫフィードバックのために使用されるべき特定のＰＵＣＣＨリソースを示すためにＳＰＳアクティブ化のＴＰＣコマンドが使用される。ＬＴＥ−Ａ  ＵＥの場合、ＳＯＲＴＤモードで構成されたとき、上位レイヤは、ＡＣＫ／ＮＡＣＫ送信中にＬＴＥ−Ａ  ＵＥがＳＯＲＴＤを採用することができるように、より多くのＰＵＣＣＨリソースを構成／予約することができる。ＴＰＣコマンドによって搬送される１つの値は、ＳＲＳ  ＡＣＫ／ＮＡＣＫフィードバックのために構成された利用可能なＰＵＣＣＨリソースの全セット中の２つの直交リソースにマッピングされ得る。たとえば、ＴＰＣコマンドにおける２ビット値は、２つの直交リソースの４つの予め定められた組合せのうちの１つを示すことができる。
【０１５０】
図２１Ａは、ｅＮＢの観点からのＳＯＲＴＤ  ＳＰＳ  ＡＣＫ／ＮＡＣＫフィードバックのための例示的なプロセス２１００Ａを示すフローチャートである。いかなる形でも本開示の範囲を限定する意図なしに説明を簡単にするために、図１を参照しながらプロセス２１００Ａについて説明する。プロセス２１００Ａは、開始状態２１０１Ａから開始し、動作２１１０Ａに進み、ｅＮＢ１０２および／またはｅＮＢスケジューラ１０４は、ＵＬ制御チャネル上で使用するためにＵＥ１１０が選択する半永続的な複数の直交リソースを決定し、複数の直交リソースは、ＵＥからのＡＣＫ／ＮＡＣＫフィードバックのためのＳＰＳに基づいてスケジュールされる。
【０１５１】
プロセス２１００Ａは動作２１２０Ａに進み、ｅＮＢ１０２は、ＵＥ１１０が、ＵＥ１１０からのＡＣＫ／ＮＡＣＫフィードバックのためのＳＰＳに基づいて複数の直交リソースを選択しなければならないという指示を送信する。いくつかの実施形態では、動作２１２０Ａは、ＵＥ１１０に送信電力訂正コマンド（ＴＰＣ：transmit power correction command）を送ることを伴い、ＴＰＣは、ＳＰＳ複数直交リソースに対応する値を含む。プロセス２１００Ａは動作２１３０Ａに進み、ｅＮＢ１０２および／またはｅＮＢスケジューラ１０４は、ＵＬ制御チャネル上でＵＥ１１０が使用するためにＵＥ１１０が選択する半永続的な複数の直交リソースの決定されたセットを考慮に入れながら、ｅＮＢ１０２によってサービスされるすべての他のＵＥが使用するためのリソースのスケジューリングを最適化する。プロセス２１００Ａは動作２１４０Ａに進み、ｅＮＢ１０２は、送信ダイバーシティを用いて、ＳＰＳの複数の直交リソース上のＵＬ制御チャネル上で、ＡＣＫ／ＮＡＣＫを受信する。プロセス２１００Ａは終了状態２１５０Ａにおいて終了する。
【０１５２】
図２１Ｂは、ユーザ機器（ＵＥ）の観点からのＳＯＲＴＤ  ＳＰＳ  ＡＣＫ／ＮＡＣＫモードのアップリンク（ＵＬ）制御チャネルリソース割振りのための例示的なプロセス２１００Ｂを示すフローチャートである。
【０１５３】
プロセス２１００Ｂは動作２１１０Ｂに進み、ＵＥ１１０は、ＵＥ１１０が、ＡＣＫ／ＮＡＣＫフィードバックのためのＳＰＳ複数直交リソースを選択しなければならないという指示を受信する。図２１Ａに関して上記で説明したように、この指示は、ＳＰＳ複数直交リソースに対応する値を含む送信電力訂正コマンド（ＴＰＣ）の形態であり得る。プロセス２１００Ｂは動作２１２０Ｂに進み、ＵＥ１１０は、ＡＣＫ／ＮＡＣＫフィードバックのためのＳＰＳ複数直交リソースを選択する。プロセス２１００Ｂは動作２１３０Ｂに進み、ＵＥ１１０は、送信ダイバーシティを用いて、ＳＰＳの複数の直交リソース上のＵＬ制御チャネルで、ＡＣＫ／ＮＡＣＫを送信する。プロセス２１００Ｂは終了状態２１４０Ｂにおいて終了する。
【０１５４】
Ｂ．  スケジューリング要求（ＳＲ）
次に、スケジューリング要求（ＳＲ）のためのＳＯＲＴＤ  ＵＬ制御チャネルリソース割振り方式について説明する。図１１Ａに関して上記で説明したように、ＳＯＲＴＤモードでは、ｅＮＢ１０２および／またはｅＮＢスケジューラ１０４は、ＵＬ制御チャネル（たとえば、ＰＵＣＣＨ）上で、ＵＥ１１０のための複数の直交リソースをスケジュールする。いくつかの実施形態では、複数の直交リソースは、ＵＥからのスケジューリング要求（ＳＲ）のためにスケジュールされる。図２２Ａは、スケジューリング要求（ＳＲ）に対し、ＵＥ１１０による使用のためにスケジュールされる第１のリソース（ＲＢ１）２２４１Ａと第２のリソース（ＲＢ２）２２４２Ａとを含むＵＬキャリア２２４０Ａを示す図２２００Ａである。ＬＴＥ−Ａ  ＵＥがＳＲのためのＳＯＲＴＤで構成されたとき、上位レイヤは、ＵＥのために２つのリソース２２４１Ａ、２２４２Ａを設定し、ＵＥは、ＳＯＲＴＤを介してこれらの２つのリソース上でＳＲを送る。
【０１５５】
いくつかの実施形態では、ＬＴＥ−Ａ  ＵＥは、複数のスケジュールされた直交リソース上でＳＲおよびＡＣＫ／ＮＡＣＫを同時に送ることができる。たとえば、図２２Ｂは、第１のリソース（ＲＢ１）２２４１Ｂと第２のリソース（ＲＢ２）２２４２Ｂとを含むＵＬキャリア２２４０Ｂを示す図２２００Ｂであり、ＲＢ１  ２２４１ＢはＡＣＫ／ＮＡＣＫフィードバックのために構成され、ＲＢ２  ２２４２ＢはＳＲのために構成される。ＳＲおよびＡＣＫ／ＮＡＣＫは、それぞれ、構成されたＲＢ１  ２２４１ＢおよびＲＢ２  ２２４２Ｂ上でＵＥからｅＮＢに並列に送信される。代替的に、構成されたリソース（ＲＢ１およびＲＢ２）に適用可能なとき、ＳＯＲＴＤが、ＳＲおよびＡＣＫ／ＮＡＣＫに対して独立して適用され得る。
【０１５６】
いくつかの実施形態では、ＬＴＥ−Ａ  ＵＥは、ＳＲのために構成されたリソース上でＡＣＫ／ＮＡＣＫを送ることができる。複数のＳＲリソースが構成されたとき、ＳＯＲＴＤが適用される。たとえば、図２２Ｃは、第１のリソース（ＲＢ１）２２４１Ｃと第２のリソース（ＲＢ２）２２４２Ｃとを含むＵＬキャリア２２４０Ｃを示す図２２００Ｃである。ＲＢ１  ２２４１ＣとＲＢ２  ２２４２Ｃは両方ともＳＲのために構成されており、したがって、ＳＯＲＴＤを用いて構成されたリソースの両方の上でＡＣＫ／ＮＡＣＫフィードバックが送られ得る。
【０１５７】
Ｃ．  チャネル品質インジケータ（ＣＱＩ）フィードバック
次に、ＵＥからのチャネル品質インジケータ（ＣＱＩ）フィードバックのためのＳＯＲＴＤ  ＵＬ制御チャネルリソース割振り方式について説明する。いくつかの実施形態では、ＬＴＥ−Ａ  ＵＥは、複数のスケジュールされた直交リソース上でＣＱＩを送るように構成される。図２３Ａは、ｅＮＢの観点からのＳＯＲＴＤ  ＣＱＩのための例示的なプロセス２３００Ａを示すフローチャートである。いかなる形でも本開示の範囲を限定する意図なしに説明を簡単にするために、図１を参照しながらプロセス２３００Ａについて説明する。プロセス２３００Ａは、開始状態２３０１Ａから開始し、動作２３１０Ａに進み、ｅＮＢ１０２および／またはｅＮＢスケジューラ１０４は、ＵＬ制御チャネル上のＣＱＩのためにＵＥが選択する複数の直交リソースを決定する。プロセス２３００Ａは動作２３２０Ａに進み、ｅＮＢ１０２および／またはｅＮＢスケジューラ１０４は、ＵＬ制御チャネル上のＣＱＩのためにＵＥ１１０が使用するためにＵＥ１１０が選択する決定された複数の直交リソースを考慮に入れながら、ｅＮＢ１０２によってサービスされるすべての他のＵＥが使用するためのリソースのスケジューリングを最適化する。プロセス２３００Ａは動作２３３０Ａに進み、ｅＮＢ１０２は、送信ダイバーシティを用いて、スケジュールされた複数の直交リソース上のＵＬ制御チャネルで、ＵＥ１１０からＣＱＩを受信する。プロセス２３００Ａは終了状態２３４０Ａにおいて終了する。
【０１５８】
図２３Ｂは、ＵＥの観点からのＳＯＲＴＤ  ＣＱＩのための例示的なプロセス２３００Ｂを示すフローチャートである。プロセス２３００Ｂは、開始状態２３０１Ｂから開始し、動作２３１０Ｂに進み、ＵＥ１１０は、ＣＱＩのためのＵＬ制御チャネル上でＵＥ１１０が使用するための複数の直交リソースを選択する。プロセス２３００Ｂは動作２３２０Ｂに進み、ＵＥ１１０は、送信ダイバーシティを用いて、選択された複数の直交リソース上のＵＬ制御チャネルで、ＣＱＩを送信する。プロセス２３００Ｂは終了状態２３３０Ｂにおいて終了する。
【０１５９】
したがって、本明細書で説明する実施形態は、ＵＬ制御チャネル上でｅＮＢに様々なタイプの制御情報を送るとき、ＵＥからの送信ダイバーシティを可能にする。
【０１６０】
さらに、本明細書で開示する態様に関して説明する様々な例示的な論理ブロック、モジュール、回路、およびアルゴリズムステップは、電子ハードウェア、コンピュータソフトウェア、または両方の組合せとして実装され得ることを当業者なら諒解されよう。ハードウェアとソフトウェアのこの互換性を明確に示すために、様々な例示的な構成要素、ブロック、モジュール、回路、およびステップについて、上記では概してそれらの機能に関して説明した。そのような機能をハードウェアとして実装するか、ソフトウェアとして実装するかは、特定の適用例および全体的なシステムに課される設計制約に依存する。当業者は、説明した機能を特定の適用例ごとに様々な方法で実装し得るが、そのような実装の決定は、本開示の範囲からの逸脱を生じるものと解釈すべきではない。
【０１６１】
本出願で使用する「構成要素」、「モジュール」、「システム」などの用語は、ハードウェア、ハードウェアとソフトウェアの組合せ、ソフトウェア、または実行中のソフトウェアなど、コンピュータ関連のエンティティを指すものとする。たとえば、構成要素は、プロセッサ上で動作するプロセス、プロセッサ、オブジェクト、実行ファイル、実行スレッド、プログラム、および／またはコンピュータであり得るが、これらに限定されない。例として、サーバ上で動作するアプリケーションと、そのサーバの両方を構成要素とすることができる。１つまたは複数の構成要素がプロセスおよび／または実行スレッド内に常駐し得、１つの構成要素を１つのコンピュータ上に配置し、および／または２つ以上のコンピュータ間に分散し得る。
【０１６２】
「例示的」という単語は、本明細書では、例、事例、または例示の働きをすることを意味するために使用する。「例示的」として本明細書で説明するいかなる態様または設計も、必ずしも他の態様または設計よりも好ましいまたは有利なものと解釈すべきではない。
【０１６３】
様々な態様を、いくつかの構成要素、モジュールなどを含み得るシステムに関して提示する。様々なシステムは、追加の構成要素、モジュールなどを含むことも、および／または各図に関連して論じる構成要素、モジュールなどのすべてを含まないこともあることを理解および諒解されたい。これらの手法の組合せも使用され得る。本明細書で開示する様々な態様は、タッチスクリーンディスプレイ技術、および／またはマウスおよびキーボードタイプインターフェースを利用するデバイスを含む、電気デバイス上で実行され得る。そのようなデバイスの例には、コンピュータ（デスクトップおよびモバイル）、スマートフォン、携帯情報端末（ＰＤＡ）、およびワイヤードとワイヤレスの両方の他の電子デバイスがある。
【０１６４】
さらに、本明細書で開示する態様に関連して説明する様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明する機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１６５】
さらに、本明細書で開示する態様に関して説明する方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるようにプロセッサに結合される。代替として、記憶媒体はプロセッサに一体化され得る。プロセッサおよび記憶媒体はＡＳＩＣ中に常駐し得る。ＡＳＩＣはユーザ端末中に常駐し得る。代替として、プロセッサおよび記憶媒体は、ユーザ端末中に個別構成要素として常駐し得る。
【０１６６】
開示する態様の前述の説明は、当業者が本開示を実施または使用できるように与えたものである。これらの態様への様々な修正は当業者には容易に明らかであり、本明細書で定義した一般原理は、本開示の趣旨または範囲から逸脱することなく他の実施形態に適用され得る。したがって、本開示は、本明細書で示す実施形態に限定されるものではなく、本明細書で開示する原理および新規の特徴に一致する最も広い範囲を与られるべきである。
【０１６７】
上記で説明した例示的なシステムに鑑みて、開示する主題に従って実装され得る方法について、いくつかの流れ図を参照しながら説明した。説明を簡単にするために、方法を一連のブロックとして図示および説明したが、いくつかのブロックは、本明細書で図示および説明したブロックとは異なる順序で、および／または他のブロックと同時に、行われ得るので、請求する主題はブロックの順序によって限定されないことを理解および諒解されたい。さらに、本明細書で説明する方法を実装するために、図示のすべてのブロックが必要とされるわけではない。さらに、本明細書で開示する方法は、そのような方法をコンピュータに移送および転送することを可能にするために製造品に記憶されることが可能であることをさらに諒解されたい。本明細書で使用する製造品という用語は、任意のコンピュータ可読デバイス、キャリア、または媒体からアクセス可能なコンピュータプログラムを包含するものとする。
【０１６８】
全体的または部分的に、参照により本明細書に組み込まれると言われる任意の特許、公報、または他の開示資料は、その組み込まれる資料が本開示で説明した既存の定義、記述、または他の開示資料と競合しない限り、本明細書に組み込まれることを諒解されたい。したがって、必要な限り、本明細書で明示的に説明する開示は、参照により本明細書に組み込まれる任意の競合する資料に取って代わる。参照により本明細書に組み込まれると言われるが、本明細書で説明した既存の定義、記述、または他の開示資料と競合する、いかなる資料またはその部分も、その組み込まれる資料と既存の開示資料との間に競合が生じない限り、組み込まれる。
【図１】
2013506386.tif 000007
【図２】
2013506386.tif 000008
【図３】
2013506386.tif 000009
【図４】
2013506386.tif 000010
【図５】
2013506386.tif 000011
【図６】
2013506386.tif 000012
【図７】
2013506386.tif 000013
【図８】
2013506386.tif 000014
【図９】
2013506386.tif 000015
【図１０】
2013506386.tif 000016
【図１１Ａ】
2013506386.tif 000017
【図１１Ｂ】
2013506386.tif 000018
【図１２Ａ】
2013506386.tif 000019
【図１２Ｂ】
2013506386.tif 000020
【図１３Ａ】
2013506386.tif 000021
【図１３Ｂ】
2013506386.tif 000022
【図１４Ａ】
2013506386.tif 000023
【図１４Ｂ】
2013506386.tif 000024
【図１５】
2013506386.tif 000025
【図１６Ａ】
2013506386.tif 000026
【図１６Ｂ】
2013506386.tif 000027
【図１７】
2013506386.tif 000028
【図１８Ａ】
2013506386.tif 000029
【図１８Ｂ】
2013506386.tif 000030
【図１９】
2013506386.tif 000031
【図２０Ａ】
2013506386.tif 000032
【図２０Ｂ】
2013506386.tif 000033
【図２１Ａ】
2013506386.tif 000034
【図２１Ｂ】
2013506386.tif 000035
【図２２Ａ】
2013506386.tif 000036
【図２２Ｂ】
2013506386.tif 000037
【図２２Ｃ】
2013506386.tif 000038
【図２３Ａ】
2013506386.tif 000039
【図２３Ｂ】
2013506386.tif 000040
【国際調査報告】
2013506386.tif 000041
2013506386.tif 000042